(57)【要約】【課題】レーザビームのパワーを有効利用して感熱記録媒体に対する感熱記録時のパワー不足を解消し、かつ記録スピードの高速化を実現すること。【解決手段】シングルモード半導体レーザ２から出力されたシングルモードレーザビームＬ１とマルチモード半導体レーザ３から出力されたマルチモードレーザビームＬ２とを偏光ビームスプリッタ５によって合成し、この合成レーザビームＬ３を偏向走査機構７によって主走査し、走査レンズ８によって合成レーザビームＬ３を感熱記録媒体１面上に集光する。【選択図】図１
2008230221.tif 000002
【特許請求の範囲】
【請求項１】
第１の半導体レーザビームを出力する第１の半導体レーザと、
前記第１の半導体レーザビームを集光する第１の集光レンズと、
第２の半導体レーザビームを出力する第２の半導体レーザと、
前記第２の半導体レーザビームを集光する第２の集光レンズと、
前記第１の集光レンズにより集光された前記第１の半導体レーザビームと前記第２の集光レンズにより集光された前記第２の半導体レーザビームとを合成して出力するレーザビーム合成素子と、
常温より高い発色温度に加熱すると発色し、常温で発色状態を維持しながら前記発色温度よりも低い消色温度に加熱すると消色する感熱記録媒体面上に、前記レーザビーム合成素子から出力された前記合成半導体レーザビームを走査する偏向走査機構と、
を具備し、
前記第１の半導体レーザは、前記第１の半導体レーザビームを出力する活性層の接合面を有し、
前記第２の半導体レーザは、前記第２の半導体レーザビームを出力する活性層の接合面を有し、
前記第１の半導体レーザの前記接合面の方向及び前記第２の半導体レーザの前記接合面の方向は、前記偏向走査機構による前記合成半導体レーザビームの走査方向に対して垂直又は平行であり、
前記第１の半導体レーザビームは、前記感熱記録媒体を前記消色温度以下の温度に加熱可能な出力パワー又は前記感熱記録媒体に照射することにより前記感熱記録媒体を前記消色温度まで加熱可能な出力パワーのいずれか一方を有し、
前記第２の半導体レーザビームは、前記感熱記録媒体に照射することにより前記感熱記録媒体を前記消色温度まで加熱可能な出力パワー又は前記感熱記録媒体を前記消色温度以下の温度に加熱可能な出力パワーのいずれか一方を有し、
前記第１の半導体レーザビームと前記第２のモード半導体レーザビームとを合成して前記感熱記録媒体に照射することにより前記感熱記録媒体を前記発色温度まで加熱可能な出力パワーを有する、
ことを特徴とする非接触光書き込み装置。
【請求項２】
前記レーザビーム合成素子は、前記第１の半導体レーザから出力された前記第１の半導体レーザビーム及び前記第２の半導体レーザから出力された前記第２の半導体レーザビームを透過又は反射し、前記第１の半導体レーザビームと前記第２の半導体レーザビームとを合成して出力する偏光ビームスプリッタを有することを特徴とする請求項１記載の非接触光書き込み装置。
【請求項３】
前記第１の半導体レーザは、シングルモード半導体であり、
前記第２の半導体レーザは、マルチモード半導体であり、
前記偏光ビームスプリッタは、前記第１の半導体レーザから出力された前記第１の半導体レーザビーム及び前記第２の半導体レーザから出力された前記第２の半導体レーザビームを透過又は反射し、前記偏向走査機構の走査方向に対して前記第２の半導体レーザビームの横長形状ビームプロファイル又は縦長形状ビームプロファイル内に前記第１の半導体レーザビームのビームプロファイルを重ねて合成する
ことを特徴とする請求項２記載の非接触光書き込み装置。
【請求項４】
前記第１の半導体レーザは、シングルモード半導体であり、
前記第２の半導体レーザは、マルチモード半導体であり、
前記第１の半導体レーザは、前記接合面の方向を前記偏向走査機構によって走査される前記合成半導体レーザビームの走査方向に対して垂直に設けられ、
前記第２の半導体レーザは、前記接合面の方向を前記偏向走査機構によって走査される前記合成半導体レーザビームの走査方向に対して平行に設けられ、
前記偏光ビームスプリッタは、前記第１の半導体レーザビームを反射すると共に、前記第２の半導体レーザビームを透過することによって、前記偏向走査機構の走査方向に対して前記第２の半導体レーザビームの横長形状ビームプロファイル内に前記第１の半導体レーザビームのビームプロファイルを重ねて合成し、
前記偏向走査機構は、前記偏光ビームスプリッタから出力された前記合成半導体レーザビームを前記第２の半導体レーザビームの偏光方向と同一方向に走査する、
ことを特徴とする請求項１記載の非接触光書き込み装置。
【請求項５】
前記走査レンズにより前記感熱記録媒体上に集光される前記横長形状のビームプロファイル内における前記第１の半導体レーザビームのビームプロファイルの合成位置を可変するビームスポット位置可変機構を備えたことを特徴とする請求項１記載の非接触光書き込み装置。
【請求項６】
前記偏光走査機構は、前記走査レンズを通して前記合成半導体レーザビームを前記感熱記録媒体１面上に走査することにより先ず、前記合成半導体レーザビームに含まれる前記第１の半導体レーザビームを単独で前記感熱記録媒体面上に照射し、次に、前記合成半導体レーザビームに含まれる前記第１と前記第２の半導体レーザビームとを重ねて照射し、次に、前記第１の半導体レーザビームの照射を終了し、次に、前記第２の半導体レーザビームの照射を終了する、
ことを特徴とする請求項１記載の非接触光書き込み装置。
【請求項７】
前記第１及び前記第２の半導体レーザビームの前記波長と異なる波長の第３の半導体レーザビームを出力する少なくとも１つの第３の半導体レーザを有し、
前記第１の半導体レーザは、前記第２の半導体レーザから出力される前記第２の半導体レーザビームの波長と同一波長の第１の半導体レーザビームを出力し、
前記第３の半導体レーザは、前記第３の半導体レーザビームを出力する活性層の接合面を有し、
前記第１の半導体レーザにおける前記接合面の方向、前記第２の半導体レーザにおける前記接合面の方向及び前記第３の半導体レーザにおける前記接合面の方向は、前記偏向走査機構による前記合成半導体レーザビームの走査方向に対して平行又は垂直であり、
前記レーザビーム合成素子は、色合成素子と、偏光ビームスプリッタとを有し、
前記色合成素子は、前記第２の半導体レーザから出力された前記第２の半導体レーザビームと前記第３の半導体レーザから出力された前記第３の半導体レーザビームを重ねて出力し、
前記偏光ビームスプリッタは、前記第２の半導体レーザビームの波長と同一波長の第１の半導体レーザビーム及び前記色合成素子から出力された半導体レーザビームを反射又は透過し、前記第１の半導体レーザから出力された前記第１の半導体レーザビームと前記色合成素子から出力された前記半導体レーザビームとを合成する、
ことを特徴とする請求項１記載の非接触光書き込み装置。
【請求項８】
前記色合成素子は、少なくとも１つのダイクロイックプリズム又はダイクロイックミラーを有することを特徴とする請求項７記載の非接触光書き込み装置。
【請求項９】
前記ダイクロイックプリズム又は前記ダイクロイックミラーは、前記第３の半導体レーザから出力された前記第３の半導体レーザビームの前記波長に対して高い反射率を有し、前記第２の半導体レーザから出力された前記第２の半導体レーザビームを透過し、前記第３の半導体レーザから出力された前記第３の半導体レーザビームを反射することによって前記第２の半導体レーザビームと前記第３の半導体レーザビームを重ねて出力する、
ことを特徴とする請求項８記載の非接触光書き込み装置。
【請求項１０】
前記第３の半導体レーザは、複数設けられ、それぞれ前記第１及び前記第２の半導体レーザビームの前記波長とそれぞれ異なる波長の前記第３の半導体レーザビームを出力し、
複数の前記ダイクロイックプリズム又は前記ダイクロイックミラーは、前記複数の第３の半導体レーザビームの１つの波長に対して高い反射率を有する、
ことを特徴とする請求項９記載の非接触光書き込み装置。
【請求項１１】
前記第２の半導体レーザは、マルチモード半導体レーザであり、
前記第２の半導体レーザビームの波長と同一波長の前記第１の半導体レーザビームを出力する第１の半導体レーザは、シングルモード半導体レーザであり、
前記第１及び前記第２の半導体レーザビームの前記波長とそれぞれ異なる波長の前記第３の半導体レーザビームを出力する前記第３の半導体レーザは、シングルモード半導体レーザであり、
前記色合成素子は、前記第２の半導体レーザから出力された前記第２の半導体レーザビームを透過し、前記第３の半導体レーザから出力された前記第３の半導体レーザビームを反射し、前記偏向走査機構の走査方向に対して前記第２の半導体レーザビームの横長形状又は縦長形状のビームプロファイル内に前記第３の半導体レーザビームのビームプロファイルを重ねて出力し、
前記偏光ビームスプリッタは、前記第１の半導体レーザビーム及び前記色合成素子から出力された前記半導体レーザビームを反射又は透過し、前記色合成素子から出力された前記半導体レーザビームにおける前記第２の半導体レーザビームの横長形状又は縦長形状のビームプロファイル内に前記第１の半導体レーザビームのビームプロファイルを重ねて合成する、
ことを特徴とする請求項７記載の非接触光書き込み装置。
【請求項１２】
前記第１の半導体レーザと、前記第２の半導体レーザと、前記第３の半導体レーザと、前記色合成素子と、前記偏光ビームスプリッタとから成る半導体レーザビーム出力系を複数形成し、
前記複数の半導体レーザビーム出力系は、それぞれ複数の前記合成半導体レーザビームを互いに平行に出力する、
ことを特徴とする請求項７記載の非接触光書き込み装置。
【請求項１３】
前記複数の半導体レーザビーム出力系は、前記偏向走査機構による前記走査方向と同一方向に前記各合成半導体レーザビームを平行に並べて出力することを特徴とする請求項１２記載の非接触光書き込み装置。
【請求項１４】
前記第１の半導体レーザと前記第２の半導体レーザと前記第３の半導体レーザとは、それぞれ少なくとも２つ互いに近接して並設され、
前記色合成素子は、少なくとも１つダイクロイックプリズム又はダイクロイックミラーを有し、
前記ダイクロイックプリズム又はダイクロイックミラーは、前記各第２の半導体レーザから出力された前記各第２の半導体レーザビーム及び前記各第３の半導体レーザから出力された前記各第３の半導体レーザビームをそれぞれ別の各光軸上で透過又は反射することによって前記各第２の半導体レーザビームと前記各第３の半導体レーザビームをそれぞれ重ね合わせ、
前記偏光ビームスプリッタは、前記各第１の半導体レーザから出力された前記各第１の半導体レーザビーム及び前記色合成素子から出力された前記半導体レーザビームをそれぞれ別の各光軸上で反射又は透過することによって前記第１乃至前記第３の半導体レーザビームを合成してそれぞれ別の前記各光軸上で出力する、
ことを特徴とする請求項７記載の非接触光書き込み装置。
【発明の詳細な説明】
【技術分野】
【０００１】
本発明は、例えばサーマルヘッド等の加熱装置を直接接触することなく、非接触で情報の記録、消去を可能とするリライタブルな感熱記録媒体に対して情報の記録を行う非接触光書き込み装置に関する。
【背景技術】
【０００２】
ロイコ染料系、ジアゾ化合物系感熱材料を利用した感熱記録方式がある。特定温度で発色と消色とを繰り返すことを可能とする可逆性の感熱記録紙等がある。感熱記録紙は、例えばサーマルヘッド等の加熱装置により加熱されて発色、消色される。このような感熱記録紙に対する記録方式には、例えばサーマルヘッド等の記録ヘッドを直接感熱記録紙に接触させる方式がある。この方式は、記録ヘッドを直接感熱記録紙に接触させるために以下のことを引き起こす。例えば、記録ヘッドの磨耗、汚れ等が生じ易い。さらに、感熱記録紙の印字面が擦れて汚れる。付着物によるショートや過剰な電力供給等による記録ヘッドの寿命が縮まる。
【０００３】
一方、感熱記録紙を用いた情報記録の技術としては、例えば特許文献１、２がある。特許文献１は、可逆性の感熱材料を非接触で顕色、消色する方法に関し、基板上に、赤外線を吸収し発熱する赤外線吸収層と感熱記録層とを順次積層した情報記録媒体を開示する。このうち感熱記録層は、感熱発色層又は金属薄膜層から成る。この感熱記録層は、赤外線吸収層の熱によって発色又は変色或いは溶融して除去される。又、特許文献１は、赤外線レーザの照射により赤外線吸収層を発熱させ、この熱により感熱記録層を発色又は変色或いは溶融して除去させる記録方法を開示する。
【０００４】
特許文献２は、ヒートモード記録材料に画像記録を行うレーザビーム記録装置に関し、ｐｎ接合面に対して垂直方向に広がった断面楕円形状のレーザビームを射出する第１及び第２の半導体レーザと、これら半導体レーザから射出されたレーザビームを合成する偏向ビームスプリッタと、この偏向ビームスプリッタによって合成されたレーザビームを走査する走査光学系とを備える。この特許文献２は、第１の半導体レーザから射出されたレーザビームと第２の半導体レーザから射出されたレーザビームとを合成し、この合成したレーザビームの中心が何れか一方のレーザビームの断面形状における長軸方向の一端側にずれるように半導体レーザを配置する。そして、特許文献２は、何れか一方のレーザビームの断面形状における長軸方向に沿い、かつ合成したレーザビームの中心が進行方向に沿って後方側に位置する状態で、走査光学系によって主走査することを開示する。
【特許文献１】特許第３２６６９２２号公報
【特許文献２】特許第２５６１０９８号公報
【発明の開示】
【発明が解決しようとする課題】
【０００５】
しかしながら、特許文献１は、赤外線レーザを出力する光源として高出力のレーザが必要である。このため、特許文献１において小型で比較的安価な半導体レーザを適用としても、この半導体レーザでは、数Ｗクラスが限界で、ライン型のサーマルヘッドクラスの記録スピードを実現できないのが現実である。数十Ｗ以上の出力を有する例えばＹＡＧレーザ等を用いる方法がある。しかしながら、ＹＡＧレーザ等を用いると、半導体レーザに比べて高価でかつ装置が大型化してしまう。
【０００６】
特許文献２は、ヒートモード記録材料の記録面において第１と第２の半導体レーザからそれぞれ射出される各レーザビームの形状が楕円形状でかつ互いに長軸方向で直交している。このため、レーザビームの主走査方向に長軸を有する一方の半導体レーザのパワーは、熱記録用に用いられる。ところが、副走査方向に長軸を有する他方の半導体レーザのパワーは、一方の半導体レーザと重なり合っている部分以外で熱記録用に有効利用されない。又、特許文献２は、偏向ビームスプリッタによって各レーザビームを合成するので、合成するレーザビーム数は２つが限界である。
【０００７】
本発明の目的は、レーザビームのパワーを有効利用して感熱記録媒体に対する感熱記録時のパワー不足を解消し、かつ記録スピードの高速化を実現できる非接触光書き込み装置を提供することにある。
【課題を解決するための手段】
【０００８】
本発明の主要な局面に係る非接触光書き込み装置は、第１の半導体レーザビームを出力するシングルモード半導体レーザと、第２の半導体レーザビームを出力するマルチモード半導体レーザと、シングルモード半導体レーザから出力された第１の半導体レーザビームとマルチモード半導体レーザから出力された第２の半導体レーザビームとを合成して出力するレーザビーム合成素子と、レーザビーム合成素子から出力された合成半導体レーザビームを走査する偏向走査機構と、偏向走査機構により走査された合成の半導体レーザビームを、常温より高い発色温度に加熱すると発色し、常温で発色状態を維持しながら発色温度よりも低い消色温度に加熱すると消色する感熱記録媒体面上に対して集光する走査レンズとを具備し、シングルモード半導体レーザは、第１の半導体レーザビームを出力する活性層の接合面が形成され、接合面の方向は、偏向走査機構による合成半導体レーザビームの走査方向に対して垂直又は平行であり、マルチモード半導体レーザは、第２の半導体レーザビームを出力する活性層の接合面が形成され、接合面の方向は、偏向走査機構による合成半導体レーザビームの走査方向に対して垂直又は平行であり、第１の半導体レーザビームと第２のモード半導体レーザビームとは、それぞれ感熱記録媒体に照射することにより感熱記録媒体を消色温度以下の温度に加熱可能な出力パワーを有し、かつ感熱記録媒体に照射することにより感熱記録媒体を消色温度まで加熱可能な出力パワーを有し、第１の半導体レーザビームと第２のモード半導体レーザビームとを合成して感熱記録媒体に照射することにより感熱記録媒体を発色温度まで加熱可能な出力パワーを有する。
【発明の効果】
【０００９】
本発明によれば、レーザビームのパワーを有効利用して感熱記録媒体に対する感熱記録時のパワー不足を解消し、かつ記録スピードの高速化を実現できる非接触光書き込み装置を提供できる。
【発明を実施するための最良の形態】
【００１０】
以下、本発明の第１の実施の形態について図面を参照して説明する。  
図１は非接触光書き込み装置の構成図を示す。本装置は、感熱記録媒体１に照射されるレーザ光を出射する光源としてシングルモード半導体レーザ２と、マルチモード半導体レーザ３とを有する。各半導体レーザ２、３は、それぞれ近赤外領域、例えば７５０ｎｍ〜１０００ｎｍに発光波長を有し、かつ数Ｗ程度の高出力のレーザビームを出力する。各半導体レーザ２、３は、例えばレーザプリンタ、レーザポインタ、ＤＶＤプレーヤ等に既に多数使用されている低出力の半導体レーザ（レーザダイオード：ＬＤ）と同一特性、すなわち広がり角度、出力−電流特性、温度特性を有する。各半導体レーザ２、３は、レーザビームの出力が大きい。これにより、各半導体レーザ２、３は、供給電流量がアンペアクラスに大きく、かつ発熱量が大きくなるために冷却を必須とする。従って、各半導体レーザ２、３は、それぞれ放熱板に固定し、かつ放熱板を強制冷却する。
【００１１】
シングルモード半導体レーザ２と感熱記録媒体１との間には、シングルモード半導体レーザ２と感熱記録媒体１との間のレーザ光照射光路に沿ってコリメータレンズ４と、レーザビーム合成素子としての偏光ビームスプリッタ５と、偏向走査機構７と、走査レンズ８とが設けられている。マルチモード半導体レーザ３と感熱記録媒体１との間には、マルチモード半導体レーザ３と感熱記録媒体１との間のレーザ光照射光路に沿ってコリメータレンズ９と、偏光ビームスプリッタ５と、偏向走査機構７と、集光レンズとしての走査レンズ８とが設けられている。
【００１２】
偏光ビームスプリッタ５は、シングルモード半導体レーザ２から出力されるシングルモードレーザビームＬ１を反射すると共に、マルチモード半導体レーザ３から出力されるマルチモードレーザビームＬ２を透過する。
【００１３】
偏向走査機構７は、偏向部材としてポリゴンミラー１０と、回転駆動部１２とを有する。回転駆動部１２には、回転軸１１を介してポリゴンミラー１０が連結されている。回転駆動部１２は、回転軸１１を介してポリゴンミラー１０を一方向、例えば矢印ｆ方向に回転させる。
【００１４】
シングルモード半導体レーザ２は、図２に示すようにシングルモードレーザビームＬ１を出力するレーザ発光部１３を有する。レーザ発光部１３には、ｐｎ接合面（活性層の接合面）１４が形成されている。シングルモード半導体レーザ２は、レーザ発光部１３のｐｎ接合面１４の接合面方向を偏向走査機構７の偏光部材の回転軸、すなわちポリゴンミラー１０の回転軸に対して平行に配置している。
【００１５】
シングルモードレーザビームＬ１の偏向方向Ｓｄ１は、ｐｎ接合面１４の接合面方向と同一方向である。シングルモードレーザビームＬ１の偏向方向Ｓｄ１は、偏光ビームスプリッタ５に対して垂直方向になるので、偏光ビームスプリッタ５に対してＳ偏光になる。従って、偏光ビームスプリッタ５は、シングルモード半導体レーザ２から出力されるシングルモードレーザビームＬ１を反射する。
【００１６】
シングルモード半導体レーザ２のレーザ発光部１３における発光領域は、図２に示すように例えばｐｎ接合面１４の接合面方向ａ１と、この接合面方向ａ１に対して垂直な方向ｂ１とにおいてそれぞれ数μｍ程度である。具体的にレーザ発光部１３の発光領域は、接合面方向ａ１が３μｍ程度であり、垂直方向ｂ１が１μｍ程度である。レーザ発光部１３から照射されるシングルレーザビームＬ１は、進行するに従って図１に示すようなプロファイルＰｆ１で広がる。ビームプロファイルＰｆ１は、ガウス分布を有する。
【００１７】
マルチモード半導体レーザ３は、図３に示すようにマルチモードレーザビームＬ２を出力するレーザ発光部１５を有する。レーザ発光部１５には、ｐｎ接合面１６が形成されている。マルチモード半導体レーザ３は、発光領域のｐｎ接合面１６の接合面方向を偏向走査機構７の偏光部材の回転軸、すなわちポリゴンミラー１０の回転軸１１に対して垂直になるように配置されている。換言すると、マルチモード半導体レーザ３は、シングルモード半導体レーザ２の発光領域のｐｎ接合面１４の接合面方向に対して垂直方向となるように配置される。
【００１８】
マルチモードレーザビームＬ２の偏向方向Ｓｄ２は、ｐｎ接合面１６の接合面方向と同一方向である。マルチモードレーザビームＬ２の偏向方向Ｓｄ２は、ポリゴンミラー１０の回転軸１１に対して垂直方向になる。マルチモード半導体レーザ３のレーザ発光部１５から出力されるマルチモードレーザビームＬ２の偏光方向Ｓｄ２は、偏光ビームスプリッタ５に対して水平方向になるので、偏光ビームスプリッタ５に対してＰ偏光になる。従って、偏光ビームスプリッタ５は、マルチモード半導体レーザ３から出力されるマルチモードレーザビームＬ２を透過する。
【００１９】
マルチモード半導体レーザ３のレーザ発光部１５における発光領域は、図３に示すように例えばｐｎ接合面（活性層の接合面）１６の接合面方向ａ２と、この接合面方向ａ２に対して垂直な方向ｂ２とにおいてそれぞれ長さを異にする。具体的にレーザ発光部１５の発光領域は、接合面方向ａ２が５０〜２００μｍ程度であり、垂直方向ｂ２が１μｍ程度である。レーザ発光部１５から放射されたマルチモードビームＬ２は、進行するに従って図１に示すようにプロファイルＰｆ２で広がる。ビームプロファイルＰｆ２は、きれいなガウス分布を有しない。マルチモード半導体レーザ３は、マウント１７に設けられている。
【００２０】
第１のコリメータレンズ４は、シングルモード半導体レーザ２から出力されるシングルモードレーザビームＬ１の進行光路上に設けられている。第１のコリメータレンズ４は、シングルモード半導体レーザ２から出力されたシングルモードレーザビームＬ１を略平行光速に集光する。  
第２のコリメータレンズ９は、マルチモード半導体レーザ３から出力されるシングルモードレーザビームＬ２の進行光路上に設けられている。第２のコリメータレンズ９は、マルチモード半導体レーザ３から出力されたマルチモードレーザビームＬ２を略平行光速に集光する。
【００２１】
偏光ビームスプリッタ５は、シングルモード半導体レーザ２から出力されるシングルモードレーザビームＬ１とマルチモード半導体レーザ３から出力されるマルチモードレーザビームＬ２との各進行光路の交差位置上に設けられている。偏光ビームスプリッタ５には、シングルモード半導体レーザ２から出力されるシングルモードレーザビームＬ１とマルチモード半導体レーザ３から出力されるマルチモードレーザビームＬ２とが入射する。しかるに、偏光ビームスプリッタ５は、シングルモード半導体レーザ２から出力されるシングルモードレーザビームＬ１を反射すると共に、マルチモード半導体レーザ３から出力されるマルチモードレーザビームＬ２を透過し、シングルモードレーザビームＬ１とマルチモードレーザビームＬ２とを合成した合成レーザビームＬ３を出力する。
【００２２】
偏向走査機構７は、ポリゴンミラー１０の矢印ｆ方向への回転により偏光ビームスプリッタ５から出力された合成レーザビームＬ３を感熱記録媒体１上に主走査する。マルチモード半導体レーザ３は、マルチモードレーザビームＬ２のＰ偏光の偏光方向Ｓｄ２をポリゴンミラー１０の回転軸１１の方向に対して垂直になるような方向に設定されている。これにより、偏向走査機構７は、マルチモードレーザビームＬ２の偏光方向Ｓｄ２と同一方向に合成レーザビームＬ３を主走査する。すなわち、偏向走査機構７による合成レーザビームＬ３の主走査方向Ｓｍと、マルチモードレーザビームＬ２の偏光方向Ｓｄ２とは、一致する。これにより、感熱記録媒体１上においてマルチモードレーザビームＬ２のビームプロファイルＰｆ２の横長方向は、主走査方向Ｓｍと一致する。
【００２３】
しかるに、マルチモード半導体レーザ３は、レーザ発光部１５のｐｎ接合面１６の接合面方向を偏向走査機構７によって走査される合成レーザビームＬ３の主走査方向に対して平行になるように配置される。又、シングルモード半導体レーザ２は、レーザ発光部１３のｐｎ接合面１４の接合面方向をマルチモード半導体レーザ３のｐｎ接合面１６の接合面方向に対して垂直になるように配置される。
【００２４】
走査レンズ８は、偏向走査機構７による合成レーザビームＬ３の主走査方向Ｓｍの走査範囲上に設けられている。走査レンズ８は、偏向走査機構７により主走査された合成レーザビームＬ３を感熱記録媒体１面上に集光する。すなわち、合成レーザビームＬ３に含まれるレーザビームＬ１とレーザビームＬ２とは、それぞれ走査レンズ８によって感熱記録媒体１面上に集光される。
【００２５】
図４及び図５は走査レンズ８により感熱記録媒体１上に集光されたシングルモードレーザビームＬ１とマルチモードレーザビームＬ２とのビームプロファイルを示す。シングルモードレーザビームＬ１は、感熱記録媒体１上に円形のビームプロファイルＰｆ１として形成される。マルチモードレーザビームＬ２は、感熱記録媒体１上に横長形状のビームプロファイルＰｆ２として形成される。
【００２６】
シングルモード半導体レーザ２のレーザ発光部１３の形状は、ｐｎ接合面１４に平行、垂直のいずれの方向にも数μｍ程度の長さを有する。従って、走査レンズ８によってシングルモードレーザビームＬ１を集光することにより当該シングルモードレーザビームＬ１のビームプロファイルを小さな略円形状にすることは容易である。例えば、シングルモードレーザビームＬ１は、略円形状に１００μｍ（１／ｅ２）程度に集光される。
【００２７】
一方、マルチモード半導体レーザ３のレーザ発光部１５の形状は、Ｐｎ接合面に垂直な方向の長さよりもｐｎ接合面１６に対して平行な方向の長さが長く、しかもその長さは例えば５０〜２００μｍ程度もある。このため、走査レンズ８によってマルチモードレーザビームＬ２を集光することにより当該マルチモードレーザビームＬ２のビームプロファイルＰｆ２を小さな略円形状にすることは困難である。しかるに、マルチモードレーザビームＬ２のビームプロファイルＰｆ２は、ｐｎ接合面１６の方向に横長形状となる。  
従って、図４及び図５に示すように合成レーザビームＬ３は、横長形状のビームプロファイルＰｆ２の中に、略円形のビームプロファイルＰｆ１を重ねた形状で感熱記録媒体１上に集光される。
【００２８】
なお、シングルモードレーザビームＬ１とマルチモードレーザビームＬ２とは、それぞれ略ガウス分布のプロファイルを有する。マルチモードレーザビームＬ２のビームプロファイルＰｆ２内におけるシングルモードレーザビームＬ１の合成位置は、記録条件や環境条件によって可変するのがよい。又、シングルモードレーザビームＬ１は、例えば略円形状に１００μｍ（１／ｅ２）程度に集光した場合、シングルモードレーザビームＬ１とマルチモードレーザビームＬ２とは、重なり合って合成するのに限らず、互いに接近していてもよい。この場合、シングルモードレーザビームＬ１とマルチモードレーザビームＬ２との中心は、副走査方向Ｓｓに揃っていることが望ましい。
【００２９】
図５はマルチモードレーザビームＬ２の横長形状のビームプロファイルＰｆ２内において、円形のビームプロファイルＰｆ１のシングルモードレーザビームＬ１を感熱記録媒体１上における主走査方向（スキャン方向）Ｓｍの中心部の位置に合成した合成ビームプロファイルを示す。この合成ビームプロファイルでは、シングルモードレーザビームＬ１とマルチモードレーザビームＬ２との中心（パワーのピーク）が一致する。このようなシングルモードレーザビームＬ１とマルチモードレーザビームＬ２との合成であれば、これらシングルモードレーザビームＬ１とマルチモードレーザビームＬ２との瞬間の各パワーピークを合わすことができる。これにより、レーザビームのエネルギーの利用効率が向上できる。
【００３０】
なお、感熱記録媒体１上にスキャンされるビームプロファイルＰｆ１は、図４に示すように例えば縦方向のビーム径ｃ１と横方向のビーム径ｃ２とが共に例えば１００μｍ程度に形成されている。感熱記録媒体１上にスキャンされるビームプロファイルＰｆ２は、図５に示すように縦方向のビーム径ｃ１が例えば１００μｍ程度に形成され、横方向のビーム径ｄが例えば１ｍｍ強に形成される。
【００３１】
感熱記録媒体１は、特定温度の加熱制御により発色と消色とを繰り返し、感熱記録、感熱消去を可能とするリライタブルな可逆性の媒体である。感熱記録媒体１は、図６に示すように融点１８０℃以上をかけると印字層中に存在する染料と顕色剤とが溶け合った状態になり、この状態から急冷することにより染料と顕色剤とが混ざり合ったまま結晶化して発色する。一方、感熱記録媒体１は、ゆっくり冷却すると、染料と顕色剤とがそれぞれ結晶化する。これにより、感熱記録媒体１は、発色状態を保てず、消色状態になる。さらに、感熱記録媒体１は、染料と顕色剤との融点以下の温度である一定時間加熱すると、染料と顕色剤とが徐々に分離して結晶化し、消色状態となるものもある。消色領域の温度は、例えば約１３０℃〜１８０℃程度である。
【００３２】
図７はシングルモードレーザビームＬ１及び合成レーザビームＬ３を感熱記録媒体１に照射したときの感熱記録媒体１上の温度と発色・消色等の関係を示す。感熱記録媒体１は、室温Ｔｒ（例えば２５℃）から発色温度Ｔ２（例えば１８０℃）を超えて加熱し、急冷すると発色する。この発色を消色するには、室温Ｔｒから一旦発色温度Ｔ２より低い温度である消色温度Ｔ１（例えば１３０℃）に加熱し、冷却すれば消色する。
【００３３】
しかるに、シングルモードレーザビームＬ１は、単独で、感熱記録媒体１に照射することにより感熱記録媒体１の印字層を消色温度Ｔ１以下の温度まで加熱可能な出力パワーを有する。これにより、感熱記録媒体１は発色しない。
【００３４】
一方、マルチモードレーザビームＬ２は、単独で、感熱記録媒体１に照射することにより感熱記録媒体１の印字層を発色温度Ｔ２以下ではあるが消色温度Ｔ１まで加熱可能な出力パワーを有する。これにより、マルチモードレーザビームＬ２を単独で感熱記録媒体１に照射したときの温度上昇は、消色温度Ｔ１以上でかつ発色温度Ｔ２以下であり、感熱記録媒体１の発色を消色可能な消去領域に温度上昇する。
【００３５】
なお、シングルモードレーザビームＬ１が消色温度Ｔ１以下の温度に加熱可能な出力パワーを有する場合、マルチモードレーザビームＬ２は、感熱記録媒体１に照射することにより感熱記録媒体１を消色温度Ｔ１まで加熱可能な出力パワーを有する。シングルモードレーザビームＬ１を感熱記録媒体１に照射することにより感熱記録媒体１を消色温度Ｔ１まで加熱可能な出力パワーを有する場合、マルチモードレーザビームＬ２は、消色温度Ｔ１以下の温度に加熱可能な出力パワーを有する。
【００３６】
合成レーザビームＬ３を感熱記録媒体１上に主走査すると、最初にマルチモードレーザビームＬ２が照射される。これにより、感熱記録媒体１の印字層は、消色温度Ｔ１まで急熱される。  
次に、感熱記録媒体１上には、マルチモードレーザビームＬ２とシングルモードレーザビームＬ１との重なり合った部分が照射される。これにより、感熱記録媒体１の印字層は、消色温度Ｔ１まで加熱された状態から更に発色温度Ｔ２にまで急熱される。
【００３７】
次に、マルチモードレーザビームＬ２とシングルモードレーザビームＬ１との重なり合った部分の照射が終わる。引き続いてマルチモードレーザビームＬ２の照射が終わる。これによって、感熱記録媒体１の印字層は、急冷される。しかるに、感熱記録媒体１に元々記録されていた情報が消去されながら、感熱記録媒体１に対する情報の記録が可能となる。
【００３８】
搬送機構１９は、感熱記録媒体１を副走査方向Ｓｓと同一方向に例えば一定の搬送速度で搬送する。副走査方向Ｓｓは、主走査方向Ｓｍに対して垂直方向である。
【００３９】
なお、感熱記録媒体１の搬送スピードが遅くなると、感熱記録媒体１上に照射されるレーザビームの単位面積当たりのエネルギーが大きくなる。すなわちマルチモードレーザビームＬ２及びシングルモードレーザビームＬ１のパワーと照射時間との積が大きくなる。一方、シングルモード半導体レーザ２から出力されるシングルモードレーザビームＬ１とマルチモード半導体レーザ３から出力されるマルチモードレーザビームＬ２との組み合わせによって出力パワーが増減する。従って、マルチモードレーザビームＬ２を照射することにより感熱記録媒体１を消色温度Ｔ１に加熱し、続いてシングルモードレーザビームＬ１を照射することによって感熱記録媒体１を発色温度Ｔ２になるように、シングルモード半導体レーザ２とマルチモード半導体レーザ３との各出力パワーに応じて感熱記録媒体１の搬送スピードが設定される。
【００４０】
ビームスポット位置可変機構１８は、マルチモードレーザビームＬ２のビームプロファイルＰｆ２内におけるビームプロファイルＰｆ１の合成位置を可変する。ビームスポット位置可変機構１８は、偏光ビームスプリッタ５をマルチモード半導体レーザ３から出力されるマルチモードレーザビームＬ２の進行方向ｈに沿って移動する。又は、ビームスポット位置可変機構１８は、偏光ビームスプリッタ５をシングルモードレーザビームＬ１の進行方向に沿って移動する。ビームスポット位置可変機構１８は、偏光ビームスプリッタ５をＳ偏光の偏光方向Ｓｄ１に対して平行な回転軸を中心に回転することによりビームスポットＰｆ１の合成位置を可変する。
【００４１】
図８（ａ）〜（ｄ）は、ビームスポット位置可変機構１１により移動する感熱記録媒体１０上に集光したマルチモードレーザビームＬ２とシングルモードレーザビームＬ１との合成の位置関係を示す。同図（ａ）はマルチモードレーザビームＬ２のビームプロファイルＰｆ２内の中心部位置にビームスポットＰｆ１が合成されている。この状態から同図（ｂ）に示すように偏光ビームスプリッタ５をマルチモードレーザビームＬ２の進行方向ｈに沿って移動すると、偏光ビームスプリッタ５へのシングルモードレーザビームＬ１の入射位置が変化する。これに応じて偏光ビームスプリッタ５内でのシングルモードレーザビームＬ１の反射位置が変化する。これにより、マルチモードレーザビームＬ２のビームプロファイルＰｆ２内におけるビームスポットＰｆ１の合成位置が可変する。
【００４２】
図８（ｃ）は偏光ビームスプリッタ５を第１の半導体レーザビームの進行方向ｈ’に沿って移動した場合のマルチモードレーザビームＬ２のビームプロファイルＰｆ２内におけるビームスポットＰｆ１の合成位置を示す。図８（ｄ）は偏光ビームスプリッタ５をシングルモードレーザビームＬ１のＳ偏光の振動方向に平行な回転軸を中心に回転方向ｒに回転させた場合のマルチモードレーザビームＬ２のビームプロファイルＰｆ２内におけるビームスポットＰｆ１の合成位置を示す。
【００４３】
次に、上記の如く構成された装置による記録動作について説明する。  
シングルモード半導体レーザ２は、レーザ発光部１３から偏光ビームスプリッタ５に対してＳ偏光のシングルモードレーザビームＬ１を出力する。シングルモードレーザビームＬ１は、ｐｎ接合面１４の接合面方向と同一方向のＳ偏光の偏向方向Ｓｄ１を有する。シングルモードレーザビームＬ１は、第１のコリメータレンズ４により略平行光速に集光されて偏光ビームスプリッタ９に入射する。
【００４４】
一方、マルチモード半導体レーザ３は、レーザ発光部１５から偏光ビームスプリッタ５に対してＰ偏光のマルチモードレーザビームＬ２を出力する。マルチモードレーザビームＬ２は、ｐｎ接合面１６の接合面方向と同一方向のＰ偏光の偏向方向Ｓｄ２を有する。マルチモードレーザビームＬ２は、第２のコリメータレンズ９により略平行光速に集光されて偏光ビームスプリッタ５に入射する。
【００４５】
偏光ビームスプリッタ５は、シングルモード半導体レーザ２から出力されたシングルモードレーザビームＬ１を反射すると共に、マルチモード半導体レーザ３から出力されたマルチモードレーザビームＬ２を透過し、合成のレーザビームＬ３として出力する。偏光ビームスプリッタ５から出力される合成レーザビームＬ３は、偏向走査機構７に入射する。
【００４６】
偏向走査機構７は、回転駆動部１２の駆動により回転軸１１を介してポリゴンミラー１０を矢印ｆ方向に連続して回転させる。これにより、ポリゴンミラー１０は、偏光ビームスプリッタ５から出力された合成レーザビームＬ３を感熱記録媒体１上において主走査方向Ｓｍに主走査する。マルチモード半導体レーザ３は、マルチモードレーザビームＬ２のＰ偏光の偏光方向Ｓｄ２がポリゴンミラー１０の回転軸１１の方向に対して垂直な方向に設定されている。これにより、偏向走査機構７は、マルチモードレーザビームＬ２の偏光方向Ｓｄ２と同一方向に合成レーザビームＬ３を主走査する。
【００４７】
走査レンズ８は、図４及び図５に示すように偏向走査機構７により主走査された合成レーザビームＬ３を感熱記録媒体１面上に集光する。すなわち、合成レーザビームＬ３は、マルチモードレーザビームＬ２の横長形状のビームプロファイルＰｆ２内に、シングルモードレーザビームＬ１の円形状ビームプロファイルＰｆ１が重なって感熱記録媒体１面上に集光される。
【００４８】
感熱記録媒体１面上に集光された合成のレーザビームＬ３は、マルチモードレーザビームＬ２のビームプロファイルＰｆ２の横長方向と同一方向に主走査される。合成レーザビームＬ３が感熱記録媒体１面上に主走査されると、先ず、合成レーザビームＬ３に含まれるマルチモードレーザビームＬ２が単独で感熱記録媒体１面上に照射される。マルチモードレーザビームＬ２が単独で照射されたときの感熱記録媒体１面上の温度は、図７に示すように発色温度Ｔ２以下であるが、消色温度Ｔ１まで急熱され上昇する。
【００４９】
次に、感熱記録媒体１面上には、合成レーザビームＬ３に含まれるマルチモードレーザビームＬ２とシングルモードレーザビームＬ１とが重なって照射される。このときの感熱記録媒体１面上の温度は、消色温度Ｔ１まで加熱された状態から更に発色温度Ｔ２にまで急熱され上昇する。これにより、感熱記録媒体１に対する情報の記録が可能となる。  
次に、シングルモードレーザビームＬ１の照射が終わり、引き続いてマルチモードレーザビームＬ２の照射が終わり、感熱記録媒体１の印字層は急冷される。これによって、マルチモードレーザビームＬ２が単独で照射された感熱記録媒体１の印字層の部分は、元々記録され、発色した黒色の部分があれば、消色される。更に、マルチモードレーザビームＬ２とシングルモードレーザビームＬ１とが重なって照射された感熱記録媒体１の印字層の部分は、黒色に発色する。
【００５０】
従って、例えば文字や記号、絵柄等の情報に応じてシングルモードレーザビームＬ１の出力をオン・オフすれば、感熱記録媒体１に例えば文字や記号、絵柄等の情報の記録が可能になる。感熱記録媒体１は、黒色に限らず、染色材料によって任意の色に発色可能である。
【００５１】
このように上記第１の実施の形態によれば、シングルモード半導体レーザ２から出力されたシングルモードレーザビームＬ１とマルチモード半導体レーザ３から出力されたマルチモードレーザビームＬ２とを偏光ビームスプリッタ５によって合成し、この合成レーザビームＬ３を偏向走査機構７によって主走査し、走査レンズ８によって合成レーザビームＬ３を感熱記録媒体１面上に集光する。これにより、レーザビームのパワーを有効利用して感熱記録媒体１に対する情報の記録時のパワー不足が解消できる。記録スピードを例えばサーマルヘッドを用いた印刷装置と同程度の印刷スピードに確保することができる。記録スピードの高速化が実現できる。又、感熱記録媒体１に対してシングルモード半導体レーザ２とマルチモード半導体レーザ３とを用いて非接触で熱を与えることができる。
【００５２】
１個のマルチモード半導体レーザ３では、感熱記録媒体１の消色領域までしか温度を上昇することができない。他の１個のシングルモード半導体レーザ２では、パワーが小さくて単独で感熱記録媒体１に記録できない。このような条件であっても、シングルモード半導体レーザ２のシングルモードレーザビームＬ１とマルチモード半導体レーザ３のマルチモードレーザビームＬ２とを合成することにより感熱記録媒体１に対する情報の記録ができる。
【００５３】
シングルモード半導体レーザ２は、ｐｎ接合面１４に平行、垂直のいずれの方向にも数μｍ程度のレーザ発光部１３を有する。これにより、シングルモード半導体レーザ２から出力されるシングルモードレーザビームＬ１を集光して円形状のビームプロファイルＰｆ１に集光することが容易であり、かつ画像等の情報を記録するのに好適である。
【００５４】
一方、マルチモード半導体レーザ３は、ｐｎ接合面１６に平行な方向の長さが１００μｍ程度と長い。これにより、マルチモード半導体レーザ３から出力されたマルチモードレーザビームＬ２を集光すると、横長形状のビームプロファイルＰｆ２に成る。従って、マルチモードレーザビームＬ２を感熱記録媒体１上において主走査方向Ｓｍに主走査すれば、ビームプロファイルＰｆ２を消色用、予熱用として用いることができる。シングルモード半導体レーザ２とマルチモード半導体レーザ３との各特長を有効に利用して感熱記録媒体１に対する情報の記録ができる。
【００５５】
シングルモードレーザビームＬ１とマルチモードレーザビームＬ２とは、それぞれ副走査方向Ｓｓのビーム径ｃ１の長さが略同一である。これにより、シングルモードレーザビームＬ１は、図４に示すようにマルチモードレーザビームＬ２のビームプロファイルＰｆ２内における主走査方向Ｓｍの後方部の位置に合成することができる。又、シングルモードレーザビームＬ１は、図５に示すようにマルチモードレーザビームＬ２のビームプロファイルＰｆ２内における主走査方向Ｓｍの中心部の位置に合成することができる。これにより、マルチモードレーザビームＬ２のパワーを有効利用できる。
【００５６】
感熱記録媒体１面上に走査するとき、先ず、マルチモードレーザビームＬ２が単独で感熱記録媒体１面上に照射される。次にマルチモードレーザビームＬ２とシングルモードレーザビームＬ１とが重なって感熱記録媒体１面上に照射される。次に、シングルモードレーザビームＬ１の照射が終わり、引き続いてマルチモードレーザビームＬ２の照射が終わる。
【００５７】
これにより、マルチモードレーザビームＬ２とシングルモードレーザビームＬ１とが重なって照射された部分に画像等の情報が記録できる。又、感熱記録媒体１面上に単独でマルチモードレーザビームＬ２を照射すれば、感熱記録媒体１面上の情報が消去できる。マルチモードレーザビームＬ２を単独で感熱記録媒体１面上に照射し、次にマルチモードレーザビームＬ２とシングルモードレーザビームＬ１とを重ねて感熱記録媒体１面上に照射すれば、感熱記録媒体１面上の情報を消去し、新たな情報が記録できる。すなわち、情報の書き換えができる。
【００５８】
次に、本発明の第２の実施の形態について図面を参照して説明する。なお、図１と同一部分には同一符号を付してその詳しい説明は省略する。  
図９は非接触光書き込み装置の構成図を示す。偏光ビームスプリッタ５は、シングルモードレーザビームＬ１を反射し、これと共に、マルチモードレーザビームＬ２を透過し、シングルモードレーザビームＬ１とマルチモードレーザビームＬ２とを合成する。偏光ビームスプリッタ５から出力される合成レーザビームＬ３は、偏向走査機構２０に入射する。
【００５９】
偏向走査機構２０は、ガルバノミラー２１と、回転駆動部２３とを有する。回転駆動部２３には、ガルバノミラー２１が回転軸２２を介して連結されている。回転駆動部２３は、回転軸２２を介してガルバノミラー２１を矢印ｇ方向に繰り返し往復して振る。ガルバノミラー２１の回転軸２２は、シングルモードレーザビームＬ１の偏向方向Ｓｄ１に対して平行で、かつマルチモードレーザビームＬ２の偏光方向Ｓｄ２に対して垂直な方向に設けられている。これにより、偏向走査機構２０は、ガルバノミラー２１の矢印ｇ方向への繰り返し往復する振りにより偏光ビームスプリッタ５から出力された合成レーザビームＬ３を感熱記録媒体１上に往復して主走査する。この主走査は、マルチモードレーザビームＬ２の偏光方向Ｓｄ２と同一方向である。この主走査は、往路の主走査方向Ｓｍ１と、復路の主走査方向Ｓｍ２とから成る。
【００６０】
次に、上記の如く構成された装置による記録動作について説明する。  
シングルモード半導体レーザ２は、レーザ発光部１３から偏光ビームスプリッタ５に対してＳ偏光のシングルモードレーザビームＬ１を出力する。シングルモードレーザビームＬ１は、コリメータレンズ４により略平行光速に集光されて偏光ビームスプリッタ５に入射する。  
一方、マルチモード半導体レーザ３は、レーザ発光部１５から偏光ビームスプリッタ５に対してＰ偏光のマルチモードレーザビームＬ２を出力する。マルチモードレーザビームＬ２は、コリメータレンズ９により略平行光速に集光されて偏光ビームスプリッタ５に入射する。  
偏光ビームスプリッタ５は、シングルモードレーザビームＬ１を反射し、これと共に、マルチモードレーザビームＬ２を透過し、マルチモードレーザビームＬ２とシングルモードレーザビームＬ１とを合成し、合成レーザビームＬ３を出力する。
【００６１】
偏向走査機構２０は、回転駆動部２３の駆動により回転軸２２を介してガルバノミラー２１を矢印ｇ方向に繰り返し往復させて振る。これにより、偏光ビームスプリッタ５から出力された合成レーザビームＬ３は、感熱記録媒体１上において往路の主走査方向Ｓｍ１と、復路の主走査方向Ｓｍ２とに往復して主走査される。往復走査された合成レーザビームＬ３は、走査レンズ８によって感熱記録媒体１面上に集光される。
【００６２】
すなわち、合成レーザビームＬ３は、例えば図１０及び図１１に示すようにマルチモードレーザビームＬ２の横長形状のビームプロファイルＰｆ２内に、シングルモードレーザビームＬ１の円形状ビームプロファイルＰｆ１が重なって感熱記録媒体１面上に集光される。合成レーザビームＬ３の往復の走査方向は、感熱記録媒体１面上におけるマルチモードレーザビームＬ２のビームプロファイルＰｆ２の横長方向と同一方向である。なお、マルチモードレーザビームＬ２のビームプロファイルＰｆ２内におけるシングルモードレーザビームＬ１のビームスポットの合成位置は、図１０及び図１１に示すように感熱記録媒体１上での主走査方向（スキャン方向）Ｓｍの中心部の位置である。
【００６３】
先ず、往路の主走査方向Ｓｍ１において、図１０に示すように合成レーザビームＬ３に含まれるマルチモードレーザビームＬ２のビームプロファイルＰｆ２における往路先頭領域ｋ１が単独で照射される。往路先頭領域ｋ１は、合成レーザビームＬ３の往路の主走査方向Ｓｍ１に向かって先頭側の領域である。マルチモードレーザビームＬ２が単独で照射されたときの感熱記録媒体１面上の温度は、図７に示すように発色温度Ｔ２以下であるが、消色温度Ｔ１まで急熱され上昇する。
【００６４】
次に、感熱記録媒体１面上には、合成レーザビームＬ３に含まれるマルチモードレーザビームＬ２とシングルモードレーザビームＬ１とが合わさって照射される。このときの感熱記録媒体１面上の温度は、消色温度Ｔ１まで加熱された状態から更に発色温度Ｔ２にまで急熱され上昇する。これにより、感熱記録媒体１に対する情報の記録が可能となる。  
次に、シングルモードレーザビームＬ１の照射が終わり、引き続いてマルチモードレーザビームＬ２の照射が終わると、感熱記録媒体１の印字層は急冷される。これによって、マルチモードレーザビームＬ２が単独で照射された感熱記録媒体１の印字層の部分は、既に発色した黒色の部分があれば、消色される。更に、マルチモードレーザビームＬ２とシングルモードレーザビームＬ１とが合わさって照射された部分は、黒色に発色する。
【００６５】
従って、例えば文字や記号、絵柄等の情報に応じてシングルモードレーザビームＬ１の出力をオン・オフすれば、感熱記録媒体１に例えば文字や記号、絵柄等の情報の記録が可能になる。感熱記録媒体１は、黒色に限らず、染色材料によって任意の色に発色可能である。
【００６６】
次に、復路の主走査方向Ｓｍ２において、図１１に示すように合成レーザビームＬ３に含まれるマルチモードレーザビームＬ２のビームプロファイルＰｆ２における復路先頭領域ｋ２が単独で照射される。復路先頭領域ｋ２は、合成レーザビームＬ３の復路の主走査方向Ｓｍ２に向かって先頭側の領域である。マルチモードレーザビームＬ２が単独で照射されたときの感熱記録媒体１面上の温度は、図７に示すように発色温度Ｔ２以下であるが、消色温度Ｔ１まで急熱され上昇する。
【００６７】
次に、感熱記録媒体１面上には、合成レーザビームＬ３に含まれるマルチモードレーザビームＬ２とシングルモードレーザビームＬ１とが合わさって照射される。このときの感熱記録媒体１面上の温度は、消色温度Ｔ１まで加熱された状態から更に発色温度Ｔ２にまで急熱され上昇する。これにより、感熱記録媒体１に対する情報の記録が可能となる。  
次に、シングルモードレーザビームＬ１の照射が終わり、引き続いてマルチモードレーザビームＬ２の照射が終わると、感熱記録媒体１の印字層は急冷される。これによって、マルチモードレーザビームＬ２が単独で照射された感熱記録媒体１の印字層の部分は、既に発色した黒色の部分があれば、消色される。更に、マルチモードレーザビームＬ２とシングルモードレーザビームＬ１とが合わさって照射された部分は、黒色に発色する。
【００６８】
従って、例えば文字や記号、絵柄等の情報に応じてシングルモードレーザビームＬ１の出力をオン・オフすれば、感熱記録媒体１に例えば文字や記号、絵柄等の情報の記録が可能になる。感熱記録媒体１は、黒色に限らず、染色材料によって任意の色に発色可能である。
【００６９】
このように上記第２の実施の形態によれば、シングルモード半導体レーザ２から出力されたシングルモードレーザビームＬ１とマルチモード半導体レーザ３から出力されたマルチモードレーザビームＬ２とを偏光ビームスプリッタ５によって合成し、この合成レーザビームＬ３を偏向走査機構２０によって感熱記録媒体１面上に往路の主走査方向Ｓｍ１と、復路の主走査方向Ｓｍ２とに往復して主走査する。これにより、上記第１の実施の形態と同様の効果を奏することができる。
【００７０】
合成のレーザビームＬ３を感熱記録媒体１面上にマルチモードレーザビームＬ２のビームプロファイルＰｆ２の横長方向と同一方向で、往路の主走査方向Ｓｍ１と復路の主走査方向Ｓｍ２とに往復して主走査する。これにより、往路の主走査方向Ｓｍ１において往路先頭領域ｋ１により感熱記録媒体１を消色領域まで温度を上昇することができる。復路の主走査方向Ｓｍ２においても復路先頭領域ｋ２により感熱記録媒体１を消色領域まで温度を上昇することができる。これによってマルチモードレーザビームＬ２のパワーが有効利用できる。又、合成レーザビームＬ３を往路の主走査方向Ｓｍ１と復路の主走査方向Ｓｍ２とに往復して主走査するので、感熱記録媒体１の全面への情報の記録が上記第１の実施の形態よりも高速化できる。
【００７１】
次に、本発明の第３の実施の形態について図面を参照して説明する。なお、図１と同一部分には同一符号を付してその詳しい説明は省略する。  
図１２は非接触光書き込み装置の構成図を示す。複数のシングルモード半導体レーザ、例えば２つのシングルモード半導体レーザ２ａ、２ｂが設けられている。各シングルモード半導体レーザ２ａ、２ｂは、それぞれ上記シングルモード半導体レーザ２と同一である。各シングルモード半導体レーザ２ａ、２ｂは、それぞれ出力される偏光ビームスプリッタ５に対してＳ偏光の各シングルモードレーザビームＬ１ａ、Ｌ１ｂを出力する。各シングルモード半導体レーザ２ａ、２ｂは、それぞれ出力される偏光ビームスプリッタ５に対してＳ偏光の各シングルモードレーザビームＬ１ａ、Ｌ１ｂの各偏向方向Ｓｄ１に沿って設けられている。  
複数のマルチモード半導体レーザ、例えば２つのマルチモード半導体レーザ３ａ、３ｂが設けられている。各マルチモード半導体レーザ３ａ、３ｂは、それぞれ上記マルチモード半導体レーザ３と同一である。各マルチモード半導体レーザ３ａ、３ｂは、それぞれ偏光ビームスプリッタ５に対してＰ偏光の各マルチモードレーザビームＬ２ａ、Ｌ２ｂを出力する。各マルチモード半導体レーザ３ａ、３ｂは、それぞれ出力する各マルチモードレーザビームＬ２ａ、Ｌ２ｂの偏向方向Ｓｄ２に対して垂直方向に沿って設けられている。なお、各マルチモード半導体レーザ３ａ、３ｂは、それぞれ各マウント１７ａ、１７ｂに設けられている。
【００７２】
次に、上記の如く構成された装置による記録動作について説明する。  
各シングルモード半導体レーザ２ａ、２ｂは、それぞれ各レーザ発光部１３から偏光ビームスプリッタ５に対してＳ偏光の各シングルモードレーザビームＬ１ａ、Ｌ１ｂを出力する。各シングルモードレーザビームＬ１ａ、Ｌ１ｂは、それぞれコリメータレンズ４により略平行光速に集光されて偏光ビームスプリッタ５に同時に入射する。
【００７３】
一方、各マルチモード半導体レーザ３ａ、３ｂは、それぞれ各レーザ発光部１５から偏光ビームスプリッタ５に対してＰ偏光の各マルチモードレーザビームＬ２ａ、Ｌ２ｂを出力する。各マルチモードレーザビームＬ２ａ、Ｌ２ｂは、それぞれコリメータレンズ９により略平行光速に集光されて偏光ビームスプリッタ５に同時に入射する。
【００７４】
偏光ビームスプリッタ５は、各シングルモードレーザビームＬ１ａ、Ｌ１ｂを反射し、これと共に、各マルチモードレーザビームＬ２ａ、Ｌ２ｂを透過し、各シングルモードレーザビームＬ１ａ、Ｌ１ｂと各マルチモードレーザビームＬ２ａ、Ｌ２ｂとを合成し、各合成レーザビームＬ３ａ、Ｌ３ｂを出力する。各合成レーザビームＬ３ａ、Ｌ３ｂは、偏向走査機構７に入射する。
【００７５】
偏向走査機構７は、ポリゴンミラー１０を矢印ｆ方向に連続して回転する。これにより、偏向走査機構７は、偏光ビームスプリッタ５から出力された各合成レーザビームＬ３ａ、Ｌ３ｂ３を感熱記録媒体１上に主走査方向Ｓｍにそれぞれ主走査する。この場合、ポリゴンミラー１０の回転軸１１は、各シングルモードレーザビームＬ１ａ、Ｌ１ｂの各偏向方向Ｓｄ１に対して平行で、かつ各マルチモードレーザビームＬ２ａ、Ｌ２ｂの偏光方向Ｓｄ２、Ｓｄ２に対して垂直な方向に設けられている。
【００７６】
しかるに、各合成レーザビームＬ３ａ、Ｌ３ｂは、それぞれ偏向走査機構７によって各マルチモードレーザビームＬ２ａ、Ｌ２ｂの各偏光方向Ｓｄ２、Ｓｄ２と同一方向にそれぞれ主走査される。
【００７７】
各合成レーザビームＬ３ａ、Ｌ３ｂは、走査レンズ８によって感熱記録媒体１面上にそれぞれ集光される。各合成レーザビームＬ３ａ、Ｌ３ｂは、それぞれ感熱記録媒体１面上に、各横長形状ビームプロファイルＰｆ２、Ｐｆ２に形成された各マルチモードレーザビームＬ２ａ、Ｌ２ｂの各横長方向と同一方向にそれぞれ同期して主走査される。各合成レーザビームＬ３ａ、Ｌ３ｂの各主走査方向Ｓｍは、互いに平行である。
【００７８】
各合成レーザビームＬ３ａ、Ｌ３ｂは、例えば図４又は図５に示すように各マルチモードレーザビームＬ２ａ、Ｌ２ｂの横長形状の各ビームプロファイルＰｆ２内に、それぞれ各シングルモードレーザビームＬ１ａ、Ｌ１ｂの円形状の各ビームプロファイルＰｆ１が重なって感熱記録媒体１面上に集光される。各マルチモードレーザビームＬ２ａ、Ｌ２ｂの各ビームプロファイルＰｆ２、Ｐｆ２内における各シングルモードレーザビームＬ１ａ、Ｌ１ｂの各ビームスポットの合成位置は、例えば上記図４に示すようにマルチモードレーザビームＬ２ａ、Ｌ２ｂのビームプロファイルＰｆ２内における主走査方向Ｓｍの後方部である。又は、各マルチモードレーザビームＬ２ａ、Ｌ２ｂの各ビームプロファイルＰｆ２、Ｐｆ２内における各シングルモードレーザビームＬ１ａ、Ｌ１ｂの各ビームスポットの合成位置は、例えば上記図５に示すようにマルチモードレーザビームＬ２ａ、Ｌ２ｂの各ビームプロファイルＰｆ２内における主走査方向Ｓｍの中心部である。
【００７９】
感熱記録媒体１面上に各マルチモードレーザビームＬ２ａ、Ｌ２ｂを走査するとき、上記同様に、先ず、各マルチモードレーザビームＬ２ａ、Ｌ２ｂが単独で感熱記録媒体１面上に照射される。次に各マルチモードレーザビームＬ２ａ、Ｌ２ｂと各シングルモードレーザビームＬ１ａ、Ｌ１ｂとが重なって感熱記録媒体１面上に照射される。次に、各シングルモードレーザビームＬ１ａ、Ｌ１ｂの照射が終わり、引き続いて各マルチモードレーザビームＬ２ａ、Ｌ２ｂの照射が終わる。これにより、各マルチモードレーザビームＬ２ａ、Ｌ２ｂと各シングルモードレーザビームＬ１ａ、Ｌ１ｂとが合わさって照射された部分に画像等の情報が記録できる。この結果、感熱記録媒体１には、例えば文字や記号、絵柄等の情報の記録が２列同時に可能になる。
【００８０】
このように上記第３の実施の形態によれば、例えば２つのシングルモード半導体レーザ２ａ、２ｂを設け、かつ例えば２つのマルチモード半導体レーザ３ａ、３ｂを設け、ポリゴンミラー１０により各合成レーザビームＬ３ａ、Ｌ３ｂをそれぞれ感熱記録媒体１上において主走査する。これにより、上記第１の実施の形態と同様の効果を奏すると共に、感熱記録媒体１面上に各合成レーザビームＬ３ａ、Ｌ３ｂを主走査方向Ｓｍに平行にかつ同時に主走査でき、例えば文字や記号、絵柄等の情報を２列同時に記録できる。
【００８１】
次に、本発明の第４の実施の形態について図面を参照して説明する。なお、図１２と同一部分には同一符号を付してその詳しい説明は省略する。  
図１３は非接触光書き込み装置の構成図を示す。偏向走査機構２０は、上記第２の実施の形態における偏向走査機構２０と同一である。偏向走査機構２０は、ガルバノミラー２１と、回転駆動部２３とを有する。偏向走査機構２０は、ガルバノミラー２１の矢印ｇ方向への繰り返し往復する振りにより偏光ビームスプリッタ５から出力された各合成レーザビームＬ３ａ、Ｌ３ｂを感熱記録媒体１上に往路の主走査方向Ｓｍ１と復路の主走査方向Ｓｍ２とに往復して主走査する。
【００８２】
ガルバノミラー２１の回転軸２２は、偏光ビームスプリッタ５に対して各シングルモードレーザビームＬ１ａ、Ｌ１ｂの各偏向方向Ｓｄ１、Ｓｄ１に対して平行で、かつ偏光ビームスプリッタ５に対して各マルチモードレーザビームＬ２ａ、Ｌ２ｂの各偏光方向Ｓｄ２、Ｓｄ２に対して垂直な方向に設けられている。これにより、偏向走査機構２０は、各マルチモードレーザビームＬ２ａ、Ｌ２ｂの各偏光方向Ｓｄ２、Ｓｄ２と同一方向に各合成レーザビームＬ３ａ、Ｌ３ｂを往路の主走査方向Ｓｍ１と復路の主走査方向Ｓｍ２とにそれぞれ主走査する。
【００８３】
次に、上記の如く構成された装置による記録動作について説明する。  
各シングルモード半導体レーザ２ａ、２ｂは、それぞれ偏光ビームスプリッタ５に対してＳ偏光の各シングルモードレーザビームＬ１ａ、Ｌ１ｂを出力する。各シングルモードレーザビームＬ１ａ、Ｌ１ｂは、それぞれコリメータレンズ４により略平行光速に集光されて偏光ビームスプリッタ５に同時に入射する。  
一方、各マルチモード半導体レーザ３ａ、３ｂは、それぞれ偏光ビームスプリッタ５に対してＰ偏光の各マルチモードレーザビームＬ２ａ、Ｌ２ｂを出力する。各マルチモードレーザビームＬ２ａ、Ｌ２ｂは、それぞれコリメータレンズ９により略平行光速に集光されて偏光ビームスプリッタ５に同時に入射する。
【００８４】
偏光ビームスプリッタ５は、例えば図４及び図５に示すように各シングルモードレーザビームＬ１ａ、Ｌ１ｂを反射し、各マルチモードレーザビームＬ２ａ、Ｌ２ｂを透過し、各シングルモードレーザビームＬ１ａ、Ｌ１ｂと各マルチモードレーザビームＬ２ａ、Ｌ２ｂとを合成し、各合成レーザビームＬ３ａ、Ｌ３ｂを出力する。各合成レーザビームＬ３ａ、Ｌ３ｂは、偏向走査機構２０に入射する。
【００８５】
偏向走査機構２０は、回転駆動部２３の駆動により回転軸２２を介してガルバノミラー２１を矢印ｇ方向に繰り返し往復させて振る。これにより、偏光ビームスプリッタ５から出力された各合成レーザビームＬ３ａ、Ｌ３ｂは、感熱記録媒体１上において往路の主走査方向Ｓｍ１と、復路の主走査方向Ｓｍ２とに往復して主走査される。偏向走査機構２０により往復走査された合成レーザビームＬ３ａ、Ｌ３ｂは、走査レンズ８によって感熱記録媒体１面上に集光される。
【００８６】
すなわち、合成レーザビームＬ３ａ、Ｌ３ｂは、例えば図１０及び図１１に示すのと同様に、各マルチモードレーザビームＬ２ａ、Ｌ２ｂのビームプロファイルＰｆ２内に、各シングルモードレーザビームＬ１ａ、Ｌ１ｂのビームプロファイルＰｆ１が重なって感熱記録媒体１面上に集光される。各合成レーザビームＬ３ａ、Ｌ３ｂの往復の走査方向は、感熱記録媒体１面上における各マルチモードレーザビームＬ２ａ、Ｌ２ｂの各ビームプロファイルＰｆ２の横長方向と同一方向である。
【００８７】
なお、各マルチモードレーザビームＬ２ａ、Ｌ２ｂのビームプロファイルＰｆ２内における各シングルモードレーザビームＬ１ａ、Ｌ１ｂのビームスポットの合成位置は、例えば図１０及び図１１に示すのと同様に、感熱記録媒体１上での主走査方向（スキャン方向）Ｓｍの中心部の位置である。
【００８８】
先ず、往路の主走査方向Ｓｍ１において、各マルチモードレーザビームＬ２ａ、Ｌ２ｂが単独で感熱記録媒体１面上に照射される。次に各マルチモードレーザビームＬ２ａ、Ｌ２ｂと各シングルモードレーザビームＬ１ａ、Ｌ１ｂとが重なって感熱記録媒体１面上に照射される。次に、各シングルモードレーザビームＬ１ａ、Ｌ１ｂの照射が終わり、引き続いて各マルチモードレーザビームＬ２ａ、Ｌ２ｂの照射が終わる。これにより、上記同様に、各マルチモードレーザビームＬ２ａ、Ｌ２ｂと各シングルモードレーザビームＬ１ａ、Ｌ１ｂとが合わさって照射された部分に画像等の情報が記録できる。
【００８９】
次に、復路の主走査方向Ｓｍ２において、各マルチモードレーザビームＬ２ａ、Ｌ２ｂが単独で感熱記録媒体１面上に照射される。次に各マルチモードレーザビームＬ２ａ、Ｌ２ｂと各シングルモードレーザビームＬ１ａ、Ｌ１ｂとが重なって感熱記録媒体１面上に照射される。次に、各シングルモードレーザビームＬ１ａ、Ｌ１ｂの照射が終わり、引き続いて各マルチモードレーザビームＬ２ａ、Ｌ２ｂの照射が終わる。これにより、上記同様に、各マルチモードレーザビームＬ２ａ、Ｌ２ｂと各シングルモードレーザビームＬ１ａ、Ｌ１ｂとが合わさって照射された部分に画像等の情報が記録できる。  
この結果、感熱記録媒体１に例えば文字や記号、絵柄等の情報の記録が２列同時に可能になる。
【００９０】
このように上記第４の実施の形態によれば、複数のシングルモード半導体レーザ２、例えば２つのシングルモード半導体レーザ２ａ、２ｂを設け、かつ複数のマルチモード半導体レーザ３、例えば２つのマルチモード半導体レーザ３ａ、３ｂを設け、ガルバノミラー２１により各合成レーザビームＬ３ａ、Ｌ３ｂをそれぞれ感熱記録媒体１上において往路の主走査方向Ｓｍ１と復路の主走査方向Ｓｍ２とに往復し、同期して主走査する。これにより、上記第１の実施の形態と同様の効果を奏すると共に、感熱記録媒体１面上に各合成レーザビームＬ３ａ、Ｌ３ｂを主走査方向Ｓｍに平行にかつ同時に主走査でき、例えば文字や記号、絵柄等の情報を２列同時に記録できる。
【００９１】
次に、本発明の第５の実施の形態について図面を参照して説明する。なお、図９と同一部分には同一符号を付してその詳しい説明は省略する。  
図１４は非接触光書き込み装置の構成図を示す。同装置は、図９に示すシングルモード半導体レーザ２とマルチモード半導体レーザ３との配置位置を交換し、シングルモードレーザビームＬ１の偏向方向Ｓｄ１とマルチモードレーザビームＬ２の偏光方向Ｓｄ２とを逆方向に設定している。シングルモード半導体レーザ２とマルチモード半導体レーザ３との配置位置の交換に合わせてコリメータレンズ４とコリメータレンズ９も各配置位置を交換する。
【００９２】
シングルモード半導体レーザ２におけるｐｎ接合面１４の接合面方向は、ガルバノミラー２１の回転軸２２の方向に対して垂直方向に配置している。シングルモード半導体レーザ２から出力されるシングルモードレーザビームＬ１の偏向方向Ｓｄ１は、ｐｎ接合面１４の接合面方向と同一方向である。これにより、シングルモードレーザビームＬ１の偏向方向Ｓｄ１は、ガルバノミラー２１の回転軸２２に対して垂直方向になる。シングルモード半導体レーザ２のレーザ発光部１３から出力されるシングルモードレーザビームＬ１は、偏光ビームスプリッタ５に対してＰ偏光になる。
【００９３】
マルチモード半導体レーザ３におけるｐｎ接合面１６の接合面方向は、ガルバノミラー２１の回転軸２２の方向に対して平行方向に配置している。マルチモード半導体レーザ３から出力されるマルチモードレーザビームＬ２の偏向方向Ｓｄ２は、ｐｎ接合面１６の接合面方向と同一方向である。これにより、マルチモードレーザビームＬ３の偏向方向Ｓｄ２は、ガルバノミラー２１の回転軸２２に対して平行方向になる。マルチモード半導体レーザ３から出力されるマルチモードレーザビームＬ２は、偏光ビームスプリッタ５に対してＳ偏光になる。
【００９４】
偏光ビームスプリッタ５は、マルチモード半導体レーザ３から出力されるマルチモードレーザビームＬ２を反射すると共に、シングルモード半導体レーザ２から出力されるシングルモードレーザビームＬ１を透過し、マルチモードレーザビームＬ２とシングルモードレーザビームＬ１を合成した合成レーザビームＬ３を出力する。
【００９５】
ビームスポット位置可変機構１８は、偏光ビームスプリッタ５をシングルモードレーザビームＬ１の進行方向ｈに沿って移動させる、或いは偏光ビームスプリッタ５をＳ偏向の振動方向に平行な回転軸を中心に回転させる。これにより、ビームスポット位置可変機構１８は、感熱記録媒体１上におけるマルチモードレーザビームＬ２のビームプロファイルＰ２内におけるシングルモードレーザビームＬ１の合成位置を可変する。
【００９６】
図１５及び図１６は感熱記録媒体１上におけるマルチモードレーザビームＬ２の横長形状ビームプロファイルＰｆ２内のシングルモードレーザビームＬ１の合成位置を示す。図１５は、マルチモードレーザビームＬ２の横長形状ビームプロファイルＰｆ２内における主走査方向Ｓｍの中心部の位置に円形のビームプロファイルＰｆ１のシングルモードレーザビームＬ１を合成したことを示す。図１６はマルチモードレーザビームＬ２の横長形状ビームプロファイルＰｆ２内における副走査方向Ｓｓに向かって後方側の位置に円形のビームプロファイルＰｆ１のシングルモードレーザビームＬ１を合成したことを示す。
【００９７】
次に、上記の如く構成された装置による記録動作について説明する。  
シングルモード半導体レーザ２は、シングルモードレーザビームＬ１を出力する。これと共に、マルチモード半導体レーザ３は、マルチモードレーザビームＬ２を出力する。偏光ビームスプリッタ５は、マルチモード半導体レーザ３から出力されるマルチモードレーザビームＬ２を反射すると共に、シングルモード半導体レーザ２から出力されるシングルモードレーザビームＬ１を透過し、マルチモードレーザビームＬ２とシングルモードレーザビームＬ１を合成した合成レーザビームＬ３を出力する。
【００９８】
偏向走査機構２０は、ガルバノミラー２１を矢印ｇ方向に繰り返し往復させて振ることにより、合成レーザビームＬ３を感熱記録媒体１上において往路の主走査方向Ｓｍ１と、復路の主走査方向Ｓｍ２とに往復して主走査する。この場合、マルチモード半導体レーザ３は、ｐｎ接合面１６に平行な方向にレーザ発光部１５の長さが長く、マルチモードレーザビームＬ２を絞り難い。これにより、感熱記録媒体１上においてマルチモードレーザビームＬ２は、横長形状ビームプロファイルＰｆ２に形成される。マルチモードレーザビームＬ２の横長形状ビームプロファイルＰｆ２の横長方向は、熱記録媒体１０上での副走査方向Ｓｓと一致するものとなる。
【００９９】
しかるに、偏向走査機構２０は、合成レーザビームＬ３を、往路の主走査方向Ｓｍ１と、復路の主走査方向Ｓｍ２とに往復して主走査する。搬送機構１９は、感熱記録媒体１を副走査方向Ｓｓに例えば一定の搬送速度で搬送する。これにより、感熱記録媒体１の全面に例えば文字や記号、絵柄等の情報が記録される。副走査方向Ｓｓの走査方向は、合成レーザビームＬ３に含むマルチモードレーザビームＬ２のビームプロファイルＰｆ２の縦長方向と同一方向である。なお、マルチモードレーザビームＬ２のビームプロファイルＰｆ２は、合成レーザビームＬ３の主走査方向Ｓｍ１、Ｓｍ２に対して縦長又は横長と称する。
【０１００】
このように上記第５の実施の形態によれば、シングルモード半導体レーザ２とマルチモード半導体レーザ３との配置位置を交換し、シングルモードレーザビームＬ１の偏向方向Ｓｄ１とマルチモードレーザビームＬ２の偏光方向Ｓｄ２とを逆方向に設定する。これにより、上記第１の実施の形態と同様の効果を奏すると共に、合成レーザビームＬ３を往路の主走査方向Ｓｍ１と復路の主走査方向Ｓｍ２とに往復して主走査するので、感熱記録媒体１の全面への情報の記録が上記第１の実施の形態よりも高速化できる。
【０１０１】
次に、本発明の第６の実施の形態について図面を参照して説明する。なお、図１と同一部分には同一符号を付してその詳しい説明は省略する。  
図１７は非接触光書き込み装置の構成図を示す。偏向走査機構３０は、ポリゴンミラー１０と、回転駆動部１２とを有する。回転駆動部１２は、ポリゴンミラー１０に対して回転軸１１を介して連結され、ポリゴンミラー１０を一方向、例えば矢印ｕ方向に回転させる。ポリゴンミラー１０の回転軸１１は、上記第１の実施の形態における回転駆動部１２の回転軸１１の方向に対して偏光ビームスプリッタ５から出力される合成レーザビームＬ３の進行方向を軸に例えば角度９０°回転した位置に設けられている。これにより、シングルモード半導体レーザ２は、レーザ発光部１３のｐｎ接合面１４の接合面方向をポリゴンミラー１０の回転軸１１に対して垂直方向に配置される。マルチモード半導体レーザ３は、発光領域のｐｎ接合面１６の接合面方向をポリゴンミラー１０の回転軸１１に対して平行になるように配置される。
【０１０２】
偏向走査機構３０は、ポリゴンミラー１０の矢印ｕ方向への回転により偏光ビームスプリッタ５から出力された合成レーザビームＬ３を感熱記録媒体１上に主走査する。偏向走査機構３０の主走査方向Ｓｍは、上記第１の実施の形態における偏向走査機構２０の主走査方向Ｓｍに対して例えば角度９０°回転している。マルチモード半導体レーザ３は、マルチモードレーザビームＬ２の偏光方向Ｓｄ２をポリゴンミラー１０の回転軸１１の方向に対して平行方向に設定される。これにより、偏向走査機構３０は、マルチモードレーザビームＬ２の偏光方向Ｓｄ２に対して角度９０°回転した方向に合成レーザビームＬ３を主走査する。
【０１０３】
走査レンズ８は、偏向走査機構７により主走査された合成レーザビームＬ３を感熱記録媒体１面上に集光する。すなわち、合成レーザビームＬ３に含まれるシングルモードレーザビームＬ１とマルチモードレーザビームＬ２とは、それぞれ走査レンズ８によって集光される。これにより、感熱記録媒体１上には、合成レーザビームＬ３が集光される。合成レーザビームＬ３に含まれるシングルモードレーザビームＬ１は、感熱記録媒体１上に円形のビームプロファイルＰｆ１として形成される。マルチモードレーザビームＬ２は、感熱記録媒体１上に縦長形状のビームプロファイルＰｆ２として形成される。
【０１０４】
搬送機構３１は、感熱記録媒体１を合成レーザビームＬ３の主走査方向Ｓｍに対して垂直な副走査方向Ｓｓと同一方向に例えば一定の搬送速度で搬送する。
【０１０５】
次に、上記の如く構成された装置による記録動作について上記第１の実施の形態と相違するところについて説明する。  
偏向走査機構３０は、ポリゴンミラー１０の矢印ｕ方向に連続して回転する。これにより、偏光ビームスプリッタ５から出力された合成レーザビームＬ３は、感熱記録媒体１上において主走査方向Ｓｍにそれぞれ主走査される。なお、合成レーザビームＬ３の主走査方向Ｓｍは、上記第１の実施の形態における偏向走査機構２０の主走査方向Ｓｍに対して例えば角度９０°回転している。
【０１０６】
走査レンズ８は、偏向走査機構７により主走査された合成レーザビームＬ３を感熱記録媒体１面上に集光する。これにより、感熱記録媒体１上には、合成レーザビームＬ３が集光される。合成レーザビームＬ３に含まれるシングルモードレーザビームＬ１は、感熱記録媒体１上に円形のビームプロファイルＰｆ１として形成される。マルチモードレーザビームＬ２は、感熱記録媒体１上に縦長形状のビームプロファイルＰｆ２として形成される。
【０１０７】
このとき、感熱記録媒体１は、搬送機構３１によって合成レーザビームＬ３の主走査方向Ｓｍに対して垂直な副走査方向Ｓｓと同一方向に例えば一定の搬送速度で搬送される。
【０１０８】
感熱記録媒体１面上に合成レーザビームＬ３を走査するとき、上記同様に、先ず、マルチモードレーザビームＬ２が単独で感熱記録媒体１面上に照射される。次に、マルチモードレーザビームＬ２とシングルモードレーザビームＬ１とが重なって感熱記録媒体１面上に照射される。次に、シングルモードレーザビームＬ１の照射が終わり、引き続いてマルチモードレーザビームＬ２の照射が終わる。これにより、マルチモードレーザビームＬ２とシングルモードレーザビームＬ１とが合わさって照射された部分に画像等の情報が記録できる。この結果、感熱記録媒体１には、例えば文字や記号、絵柄等の情報の記録が可能になる。
【０１０９】
このように上記第６の実施の形態によれば、ポリゴンミラー１０の回転軸１１を上記第１の実施の形態における回転駆動部１２の回転軸１１の方向に対して合成レーザビームＬ３の進行方向を軸に例えば角度９０°回転した位置に設けた。これによっても上記第６の実施の形態は、上記第１の実施の形態と同様の効果を奏することができる。
【０１１０】
次に、本発明の第７の実施の形態について図面を参照して説明する。なお、図１と同一部分には同一符号を付してその詳しい説明は省略する。  
図１８は非接触光書き込み装置の構成図を示す。同装置は、レーザビームを出射する光源として第１の半導体レーザであるシングルモード半導体レーザ２と、第２の半導体レーザであるマルチモード半導体レーザ３と、第３の半導体レーザであるシングルモード半導体レーザ４０と、第４の半導体レーザであるシングルモード半導体レーザ４１とを有する。
【０１１１】
このうちシングルモード半導体レーザ２は、例えば波長λ１（＝８０８ｎｍ）のシングルモードレーザビームＬ１を出力する。マルチモード半導体レーザ３は、例えば波長λ１（＝８０８ｎｍ）のマルチモードレーザビームＬ２を出力する。
【０１１２】
各シングルモード半導体レーザ４０、４１は、それぞれ近赤外領域の各波長λ２、λ３の各シングルモードレーザビームＬ３、Ｌ４を出力する。具体的にシングルモード半導体レーザ４０は、例えば波長λ２（＝９８０ｎｍ）の発光波長のシングルモードレーザビームＬ３を出力する。シングルモード半導体レーザ４１は、例えば波長λ３（＝９００ｎｍ）の発光波長のシングルモードレーザビームＬ４を出力する。
【０１１３】
シングルモード半導体レーザ２と感熱記録媒体１との間には、レーザ光照射光路に沿ってコリメータレンズ４２、偏光ビームスプリッタ４３、偏向走査機構２０、走査レンズ８が設けられている。  
シングルモード半導体レーザ４０と感熱記録媒体１との間には、レーザ光照射光路に沿ってコリメータレンズ４４、色合成素子としてのダイクロイックプリズム４５、色合成素子としての偏光ビームスプリッタ４３、偏向走査機構２０、走査レンズ８が設けられている。  
シングルモード半導体レーザ４１と感熱記録媒体１との間には、レーザ光照射光路に沿ってコリメータレンズ４６、色合成素子としての２つのダイクロイックプリズム４７、４５、偏光ビームスプリッタ４３、偏向走査機構２０、走査レンズ８が設けられている。  
マルチモード半導体レーザ３と感熱記録媒体１との間には、レーザ光照射光路に沿ってコリメータレンズ４８、２つのダイクロイックプリズム４７、４５、偏光ビームスプリッタ４３、偏向走査機構２０、走査レンズ８が設けられている。
【０１１４】
偏向走査機構２０は、偏光部材としてガルバノミラー２１と、回転駆動部２３とを有する。回転駆動部２３には、回転軸２２を介してガルバノミラー２１が連結されている。回転駆動部２３は、回転軸２２を介してガルバノミラー２１を矢印ｇ方向に往復運動させる。
【０１１５】
シングルモード半導体レーザ２は、上記図２に示すのと同様に、レーザ発光部１３にｐｎ接合面（活性層の接合面）４を有する。シングルモード半導体レーザ２は、レーザ発光部１３のｐｎ接合面１４の接合面方向をガルバノミラー２１の回転軸２２に対して平行になるように配置される。シングルモードレーザビームＬ１の偏向方向Ｓｄ１は、ｐｎ接合面１４の接合面方向と同一方向である。これにより、シングルモードレーザビームＬ１の偏向方向Ｓｄ１は、偏光ビームスプリッタ４３に対して垂直方向になる。従って、シングルモード半導体レーザ２のレーザ発光部１３から照射されたシングルモードレーザビームＬ１は、Ｓ偏光である。レーザ発光部１３における発光領域は、図２に示すのと同様なので、その説明は省略する。
【０１１６】
マルチモード半導体レーザ３は、上記図３に示すのと同様に、レーザ発光部１５にｐｎ接合面１６を有する。マルチモード半導体レーザ３は、発光領域のｐｎ接合面１６の接合面方向をガルバノミラー２１の回転軸２２に対して垂直になるように配置されている。マルチモードレーザビームＬ２の偏向方向Ｓｄ２は、ｐｎ接合面１６の接合面方向と同一方向である。これにより、マルチモード半導体レーザ３の発光領域から照射されるマルチモードレーザビームＬ２は、Ｐ偏光となる。レーザ発光部１５における発光領域は、上記図３に示すのと同様なので、その説明は省略する。
【０１１７】
各シングルモード半導体レーザ４０、４１は、上記図２に示すシングルモード半導体レーザ２と同様に、それぞれｐｎ接合面１４を形成したレーザ発光部１３を有する。各シングルモード半導体レーザ４０、４１は、それぞれレーザ発光部１３のｐｎ接合面１４の接合面方向をガルバノミラー２１の回転軸２２に対して垂直方向に配置される。
【０１１８】
各シングルモードレーザビームＬ３、Ｌ４の各偏向方向Ｓｄ３及びＳｄ４は、それぞれｐｎ接合面１４の接合面方向と同一方向である。しかるに、各シングルモードレーザビームＬ３、Ｌ４の各偏向方向Ｓｄ３及びＳｄ４は、偏光ビームスプリッタ４３に対して水平方向になる。これにより、各シングルモードレーザビームＬ３、Ｌ４は、Ｐ偏光になる。なお、各シングルモード半導体レーザ４０、４１の各レーザ発光部１３から照射される各シングルレーザビームＬ３、Ｌ４は、進行するに伴って図１８に示すように各プロファイルＰｆ３、Ｐｆ４で広がる。各ビームプロファイルＰｆ３、Ｐｆ４は、ガウス分布を有する。
【０１１９】
各シングルモード半導体レーザ４０、４１の各レーザ発光部１３における発光領域は、上記図２に示すシングルモード半導体レーザ２と同様に、例えばｐｎ接合面１４の接合面方向ａ１と、この接合面方向ａ１に対して垂直な方向ｂ１とにおいてそれぞれ数μｍ程度である。具体的にレーザ発光部１３の発光領域は、例えば接合面方向ａ１が３μｍ程度であり、垂直方向ｂ１が１μｍ程度である。
【０１２０】
第１のコリメータレンズ４２がシングルモード半導体レーザ２から出力されるシングルモードレーザビームＬ１の進行光路上に設けられている。第１のコリメータレンズ４２は、シングルモード半導体レーザ２から出力されたシングルモードレーザビームＬ１を略平行光速に集光する。  
第２のコリメータレンズ４８がマルチモード半導体レーザ３から出力されるマルチモードレーザビームＬ２の進行光路上に設けられている。第２のコリメータレンズ４８は、マルチモード半導体レーザ３から出力されたマルチモードレーザビームＬ２を略平行光速に集光する。
【０１２１】
第３のコリメータレンズ４４がシングルモード半導体レーザ４０から出力されるシングルモードレーザビームＬ３の進行光路上に設けられている。第３のコリメータレンズ４４は、シングルモード半導体レーザ４０から出力されたシングルモードレーザビームＬ３を略平行光速に集光する。  
第４のコリメータレンズ４６がシングルモード半導体レーザ４１から出力されるシングルモードレーザビームＬ４の進行光路上に設けられている。第４のコリメータレンズ４６は、シングルモード半導体レーザ４１から出力されたシングルモードレーザビームＬ４を略平行光速に集光する。
【０１２２】
重ね合せ光学系としての２つのダイクロイックプリズム４７、４５がマルチモード半導体レーザ３から出力されるマルチモードレーザビームＬ２の進行光路上に設けられている。図１９は各ダイクロイックプリズム４７、４５の波長に対する反射率の特性を示す。ダイクロイックプリズム４７は、波長λ３（＝９００ｎｍ）を含む領域に対してのみ高い反射率の特性１４ａを持つ。ダイクロイックプリズム４７は、マルチモードレーザビームＬ２の進行光路とシングルモード半導体レーザ４１から出力されるシングルモードレーザビームＬ４の進行光路との交差位置上に設けられている。ダイクロイックプリズム４７は、マルチモード半導体レーザ３から出力された波長λ１（＝８０８ｎｍ）のマルチモードレーザビームＬ２を透過すると共に、シングルモード半導体レーザ４１から出力された波長λ３（＝９００ｎｍ）のシングルモードレーザビームＬ４を９０度方向を変えて反射し、これらマルチモードレーザビームＬ２とシングルモードレーザビームＬ４とを重ね合わせたレーザビームＬａを出射する。
【０１２３】
ダイクロイックプリズム４５は、波長λ２（＝９８０ｎｍ）を含む領域に対してのみ高い反射率の特性１５ａを持つ。ダイクロイックプリズム４５は、ダイクロイックプリズム４７から出射される重ね合せレーザビームＬａの進行光路とシングルモード半導体レーザ４０から出力されるシングルモードレーザビームＬ３の進行光路との交差位置上に設けられている。
【０１２４】
ダイクロイックプリズム４５は、ダイクロイックプリズム４７から出射される波長λ１、λ３の重ね合せレーザビームＬａを透過する。これと共に、ダイクロイックプリズム４５は、シングルモード半導体レーザ４０から出力された波長λ２（＝９８０ｎｍ）のシングルモードレーザビームＬ３を９０度方向を変えて反射する。これにより、ダイクロイックプリズム４５は、重ね合せレーザビームＬａとシングルモードレーザビームＬ３とを重ね合わせたレーザビームＬｂを出射する。
【０１２５】
偏光ビームスプリッタ４３は、シングルモード半導体レーザ２から出力されるシングルモードレーザビームＬ１とダイクロイックプリズム４５から出射される重ね合せレーザビームＬｂの進行光路との交差位置上に設けられている。偏光ビームスプリッタ４３には、シングルモード半導体レーザ２から出力されるシングルモードレーザビームＬ１とダイクロイックプリズム４５から出射される重ね合せレーザビームＬｂとが入射する。偏光ビームスプリッタ４３は、シングルモード半導体レーザ２から出力されるＳ偏光であるシングルモードレーザビームＬ１を９０度方向を変えて反射する。これと共に、偏光ビームスプリッタ４３は、ダイクロイックプリズム４５から出射される重ね合せレーザビームＬｂを透過する。これにより、偏光ビームスプリッタ４３は、シングルモードレーザビームＬ１と重ね合せレーザビームＬｂとを合成して出力する。なお、重ね合せレーザビームＬｂは、偏光ビームスプリッタ４３に対してＰ偏光であるマルチモードビームＬ２と、偏光ビームスプリッタ４３に対してＳ偏光の各シングルレーザビームＬ１、Ｌ３、Ｌ４とを重ね合わせて成る。
【０１２６】
偏向走査機構２０は、ガルバノミラー２１の矢印ｇ方向への往復運動により偏光ビームスプリッタ４３から出力された合成レーザビームＬｃを感熱記録媒体１上において各主走査方向Ｓｍ１、Ｓｍ２に往復走査する。マルチモード半導体レーザ３は、マルチモードレーザビームＬ２のＰ偏光の偏光方向Ｓｄ２をガルバノミラー２１の回転軸２２に対して垂直方向に設定されている。これにより、偏向走査機構２０は、マルチモードレーザビームＬ２の偏光方向Ｓｄ２と同一方向である各主走査方向Ｓｍ１、Ｓｍ２に合成レーザビームＬｃを往復して主走査する。
【０１２７】
マルチモード半導体レーザ３は、レーザ発光部１５のｐｎ接合面１６の接合面方向を偏向走査機構２０によって走査される合成レーザビームＬｃの主走査方向Ｓｍ１、Ｓｍ２に対して平行に配置している。シングルモード半導体レーザ２は、レーザ発光部１３のｐｎ接合面１４の接合面方向をマルチモード半導体レーザ３のｐｎ接合面１６の接合面方向に対して垂直に配置している。
【０１２８】
これに対して各シングルモード半導体レーザ４０、４１は、それぞれレーザ発光部１３のｐｎ接合面１４の接合面方向を偏向走査機構２０によって走査される合成レーザビームＬｃの主走査方向Ｓｍ１、Ｓｍ２に対して水平に配置している。
【０１２９】
走査レンズ８が偏向走査機構２０による合成レーザビームＬｃの主走査方向Ｓｍ１、Ｓｍ２に設けられている。走査レンズ８は、偏向走査機構２０により主走査された合成レーザビームＬｃを感熱記録媒体１面上に集光する。  
図２０は感熱記録媒体１上に集光された合成レーザビームＬｃのビームプロファイルを示す。合成レーザビームＬｃは、円形のビームプロファイルＰｆ１を有するレーザビームＬ１と、横長形状のビームプロファイルＰｆ２を有するレーザビームＬ２と、円形のビームプロファイルＰｆ３を有するレーザビームＬ３と、円形のビームプロファイルＰｆ４を有するレーザビームＬ４とを含む。各レーザビームＬ１、Ｌ３、Ｌ４は、レーザビームＬ２の横長形状のビームプロファイルＰｆ２内に重ね合わされている。各レーザビームＬ１、Ｌ３、Ｌ４の重ね合せの位置は、例えばレーザビームＬ２の横長形状のビームプロファイルＰｆ２内の略中央部である。
【０１３０】
各シングルモード半導体レーザ２、４０、４１の各レーザ発光部１３は、ｐｎ接合面１４に対して平行、垂直のいずれの方向にも数μｍ程度の長さしか有しない。従って、各シングルモードレーザビームＬ１、Ｌ３，Ｌ４は、走査レンズ８によって集光することにより各ビームプロファイルＰｆ１、Ｐｆ３、Ｐｆ４をそれぞれ略円形状に形成することが容易である。
【０１３１】
各シングルモードレーザビームＬ１、Ｌ３，Ｌ４は、例えば略円形状に１００μｍ（１／ｅ２）程度に集光することができる。一方、マルチモード半導体レーザ３のレーザ発光部１５の形状は、ｐｎ接合面１６に垂直な方向の長さよりもｐｎ接合面１６に平行な方向の長さが長く、しかも５０〜２００μｍ程度もある。これにより、走査レンズ８によってマルチモードレーザビームＬ２を集光してビームプロファイルＰｆ２を略円形状にすることは困難である。マルチモードレーザビームＬ２は、ｐｎ接合面１６の方向に横長形状になる。
【０１３２】
従って、マルチモードレーザビームＬ２及び各シングルモードレーザビームＬ１、Ｌ３、Ｌ４は、図２０に示すように横長形状のビームプロファイルＰｆ２の中に略円形の各ビームプロファイルＰｆ１、Ｐｆ３，Ｐｆ４を重ね合わせて感熱記録媒体１面上に集光される。
【０１３３】
偏向走査機構２０は、マルチモードレーザビームＬ２の偏光方向Ｓｄ２と同一方向に合成レーザビームＬｃを主走査する。これにより、マルチモードレーザビームＬ２のビームプロファイルＰｆ２の横長方向は、感熱記録媒体１上における主走査方向Ｓｍ１、Ｓｍ２と一致する。なお、各シングルモードレーザビームＬ１、Ｌ３、Ｌ４は、マルチモードレーザビームＬ２の横長形状ビームプロファイルＰｆ２内における中心部に合成される。なお、各シングルモードレーザビームＬ１、Ｌ３、Ｌ４は、合成位置を一致させているが、図面上では各シングルモードレーザビームＬ１、Ｌ３、Ｌ４の重なり合いが分かり易いようにずらして示している。
【０１３４】
各シングルモードレーザビームＬ１、Ｌ３、Ｌ４の中心（パワーのピーク）とマルチモードレーザビームＬ２の中心（パワーのピーク）とは一致する。このような各シングルモードレーザビームＬ１、Ｌ３、Ｌ４とマルチモードレーザビームＬ２との合成であれば、各シングルモードレーザビームＬ１、Ｌ３、Ｌ４とマルチモードレーザビームＬ２との瞬間のパワーピークを合わせることで、エネルギーの利用効率が向上する。なお、マルチモードレーザビームＬ２のビームプロファイルＰｆ２内における各シングルモードレーザビームＬ１、Ｌ３、Ｌ４の合成位置は、ビームプロファイルＰｆ２内における中心部に限らず、記録条件や環境条件によって可変してもよい。
【０１３５】
感熱記録媒体１上に走査される略円形の各ビームプロファイルＰｆ１、Ｐｆ３、Ｐｆ４は、図２０に示すように例えば縦方向のビーム径ｃ１と横方向のビーム径ｃ２とが共に例えば１００μｍ程度に形成される。横長形状ビームプロファイルＰｆ２は、例えば縦方向のビーム径ｃ１が例えば１００μｍ程度に形成され、かつ横方向のビーム径ｄが例えば１ｍｍ強に形成されている。
【０１３６】
図２１はシングルモードレーザビームＬ１、マルチモードレーザビームＬ２、合成レーザビームＬｃを感熱記録媒体１に照射したときの感熱記録媒体１上の温度と発色・消色等の関係を示す。シングルモードレーザビームＬ１は、単独で、感熱記録媒体１に照射することにより感熱記録媒体１の印字層を消色温度Ｔ１以下の温度まで加熱可能な出力パワーしか有しない。これにより、感熱記録媒体１は発色しない。
【０１３７】
一方、マルチモードレーザビームＬ２は、単独で、感熱記録媒体１に照射することにより感熱記録媒体１の印字層を発色温度Ｔ２以下ではあるが消色温度Ｔ１まで加熱可能な出力パワーを有する。これにより、マルチモードレーザビームＬ２を単独で感熱記録媒体１に照射したときの温度上昇は、消色温度Ｔ１以上でかつ発色温度Ｔ２以下であり、感熱記録媒体１の発色を消色可能な消去領域に温度上昇する。
【０１３８】
そして、各シングルモードレーザビームＬ１、Ｌ３、Ｌ４をマルチモードレーザビームＬ２に合成した合成レーザビームＬｃを感熱記録媒体１に照射すると、感熱記録媒体１の印字層は、消色温度Ｔ１まで加熱された状態から更に発色温度Ｔ２にまで急熱される。これにより、合成レーザビームＬｃは、感熱記録媒体１に照射することにより感熱記録媒体１の温度上昇を発色温度Ｔ２以上とし、感熱記録媒体１に対する記録を可能とする。すなわち、各シングルモードレーザビームＬ３、Ｌ４は、シングルモードレーザビームＬ１及びマルチモードレーザビームＬ２と合成することにより記録レベルのパワーを増大させる。
【０１３９】
次に、上記の如く構成された装置による記録動作について説明する。  
シングルモード半導体レーザ２は、レーザ発光部１３から波長λ１（＝８０８ｎｍ）のシングルモードレーザビームＬ１を出力する。シングルモードレーザビームＬ１は、ｐｎ接合面１４の接合面方向と同一方向の偏向方向Ｓｄ１を有する。シングルモードレーザビームＬ１は、第１のコリメータレンズ４２により略平行光速に集光されて偏光ビームスプリッタ４３に入射する。
【０１４０】
一方、マルチモード半導体レーザ３は、レーザ発光部１５から波長λ１（＝８０８ｎｍ）のマルチモードレーザビームＬ２を出力する。マルチモードレーザビームＬ２は、ｐｎ接合面１６の接合面方向と同一方向の偏向方向Ｓｄ２を有する。マルチモードレーザビームＬ２は、第２のコリメータレンズ４８により略平行光速に集光されてダイクロイックプリズム４５に入射する。
【０１４１】
これと共に、シングルモード半導体レーザ４０は、レーザ発光部１３から波長λ２（＝９８０ｎｍ）のシングルモードレーザビームＬ３を出力する。シングルモードレーザビームＬ３は、ｐｎ接合面１４の接合面方向と同一方向の偏向方向Ｓｄ３を有する。シングルモードレーザビームＬ３は、第３のコリメータレンズ４４により略平行光速に集光されてダイクロイックプリズム４５に入射する。
【０１４２】
シングルモード半導体レーザ４１は、レーザ発光部１３から波長λ３（＝９００ｎｍ）のシングルモードレーザビームＬ４を出力する。シングルモードレーザビームＬ４は、ｐｎ接合面１４の接合面方向と同一方向の偏向方向Ｓｄ４を有有する。シングルモードレーザビームＬ４は、第４のコリメータレンズ４６により略平行光速に集光されてダイクロイックプリズム４７に入射する。
【０１４３】
ダイクロイックプリズム４７は、マルチモード半導体レーザ３から出力されたマルチモードレーザビームＬ２を透過すると共に、シングルモード半導体レーザ４１から出力されたシングルモードレーザビームＬ４を反射し、マルチモードレーザビームＬ２とシングルモードレーザビームＬ４とを重ね合わせたレーザビームＬａを出射する。
【０１４４】
ダイクロイックプリズム４５は、ダイクロイックプリズム４７から出射された重ね合せレーザビームＬａを透過すると共に、シングルモード半導体レーザ４０から出力されたシングルモードレーザビームＬ３を反射し、重ね合せレーザビームＬａとシングルモードレーザビームＬ３とを重ね合わせたレーザビームＬｂを出力する。これにより、偏光ビームスプリッタ４３には、シングルモード半導体レーザ２から出力されたシングルモードレーザビームＬ１と、ダイクロイックプリズム４５から出力されたレーザビームＬｂとが入射する。
【０１４５】
偏光ビームスプリッタ４３は、例えば図２０に示すように各シングルモードレーザビームＬ１、Ｌ３、Ｌ４を反射すると共に、マルチモードレーザビームＬ２を透過する。偏光ビームスプリッタ４３から出力された合成レーザビームＬｃは、偏向走査機構２０に入射する。
【０１４６】
偏向走査機構２０は、回転駆動部２３の駆動により回転軸２２を介してガルバノミラー２１を矢印ｇ方向に連続して往復回転させる。これにより、偏向走査機構２０は、偏光ビームスプリッタ４３から出力された合成レーザビームＬｃを感熱記録媒体１上において主走査方向Ｓｍ１、Ｓｍ２に主走査する。  
走査レンズ８は、偏向走査機構２０により主走査された合成レーザビームＬｃを感熱記録媒体１面上に集光される。これにより、感熱記録媒体１面上には、図２０に示すようにマルチモードレーザビームＬ２の横長形状のビームプロファイルＰｆ２の中に各シングルモードレーザビームＬ１、Ｌ３、Ｌ４の略円形の各ビームプロファイルＰｆ１、Ｐｆ３，Ｐｆ４が重ね合わされて集光される。
【０１４７】
ガルバノミラー２１の回転軸２２は、各シングルモードレーザビームＬ１、Ｌ３、Ｌ４の各偏向方向Ｓｄ１、Ｓｄ３、Ｓｄ４に対して平行で、かつマルチモードレーザビームＬ２の偏光方向Ｓｄ２に対して垂直な方向に設けられている。これにより、合成レーザビームＬｃは、偏向走査機構２０によってマルチモードレーザビームＬ２の偏光方向Ｓｄ２と同一方向、すなわち横長形状ビームプロファイルＰｆ２に形成されたマルチモードレーザビームＬ２の横長方向と同一方向である主走査方向Ｓｍ１、Ｓｍ２に主走査される。
【０１４８】
先ず、往路の主走査方向Ｓｍ１において、図２０に示すように合成レーザビームＬｃに含まれるマルチモードレーザビームＬ２のビームプロファイルＰｆ２における往路先頭領域Ｅ１が単独で照射される。往路先頭領域Ｅ１は、合成レーザビームＬｃの往路の主走査方向Ｓｍ１に向かって先頭側の領域である。マルチモードレーザビームＬ２が単独で照射されたときの感熱記録媒体１面上の温度は、図２１に示すように発色温度Ｔ２以下であるが、消色温度Ｔ１まで急熱され上昇する。
【０１４９】
次に、感熱記録媒体１面上には、合成レーザビームＬｃに含まれるマルチモードレーザビームＬ２と各シングルモードレーザビームＬ１、Ｌ３、Ｌ４とが合わさって照射される。このときの感熱記録媒体１面上の温度は、消色温度Ｔ１まで加熱された状態から更に発色温度Ｔ２以上まで急熱され上昇する。これにより、感熱記録媒体１に対する情報の記録が可能となる。  
次に、各シングルモードレーザビームＬ１、Ｌ３、Ｌ４の照射が終わり、引き続いてマルチモードレーザビームＬ２の照射が終わると、感熱記録媒体１の印字層は急冷される。これによって、マルチモードレーザビームＬ２が単独で照射された感熱記録媒体１の印字層の部分は、既に発色した黒色の部分があれば、消色される。更に、マルチモードレーザビームＬ２とシングルモードレーザビームＬ１とが合わさって照射された部分は、黒色に発色する。
【０１５０】
従って、例えば文字や記号、絵柄等の情報に応じて各シングルモードレーザビームＬ１、Ｌ３、Ｌ４の出力を同時にオン・オフすれば、感熱記録媒体１に例えば文字や記号、絵柄等の情報の記録が可能になる。感熱記録媒体１は、黒色に限らず、染色材料によって任意の色に発色可能である。
【０１５１】
次に、復路の主走査方向Ｓｍ２において、図２０に示すように合成レーザビームＬｃに含まれるマルチモードレーザビームＬ２のビームプロファイルＰｆ２における復路先頭領域Ｅ２が単独で照射される。この復路先頭領域Ｅ２は、合成レーザビームＬｃの復路の主走査方向Ｓｍ２に向かって先頭側の領域である。このマルチモードレーザビームＬ２が単独で照射されたときの感熱記録媒体１面上の温度は、図２１に示すように発色温度Ｔ２以下であるが、消色温度Ｔ１まで急熱され上昇する。
【０１５２】
次に、感熱記録媒体１面上には、合成レーザビームＬ３に含まれるマルチモードレーザビームＬ２と各シングルモードレーザビームＬ１、Ｌ３、Ｌ４とが合わさって照射される。このときの感熱記録媒体１面上の温度は、消色温度Ｔ１まで加熱された状態から更に発色温度Ｔ２以上まで急熱され上昇する。これにより、感熱記録媒体１に対する情報の記録が可能となる。  
次に、各シングルモードレーザビームＬ１、Ｌ３、Ｌ４の照射が終わり、引き続いてマルチモードレーザビームＬ２の照射が終わると、感熱記録媒体１の印字層は急冷される。これによってマルチモードレーザビームＬ２が単独で照射された感熱記録媒体１の印字層の発色した黒色の部分が消色される。これと共に、感熱記録媒体１の印字層におけるマルチモードレーザビームＬ２と各シングルモードレーザビームＬ１、Ｌ３、Ｌ４とが合わさって照射された部分は、黒色に発色する。
【０１５３】
従って、例えば文字や記号、絵柄等の情報に応じて各シングルモードレーザビームＬ１、Ｌ３、Ｌ４の出力を同時にオン・オフすれば、感熱記録媒体１に例えば文字や記号、絵柄等の情報の記録が可能になる。感熱記録媒体１は、黒色に限らず、染色材料によって任意の色に発色可能である。
【０１５４】
このように上記第７の実施の形態によれば、同じ波長λ１のシングルモード半導体レーザ２とマルチモード半導体レーザ３とを設けると共に、波長λ１とは異なる各波長λ２、λ３の各シングルモード半導体レーザ４０、４１を設け、これらシングルモードレーザビームＬ３、Ｌ４とマルチモードレーザビームＬ２とを各ダイクロイックプリズム４７、４５を用いて重ね合せ、重ね合わせたレーザビームＬｂとシングルモードレーザビームＬ１とを偏光ビームスプリッタ４３により合成し、合成レーザビームＬｃを偏向走査機構２０によって感熱記録媒体１面上に主走査する。
【０１５５】
これにより、マルチモードレーザビームＬ２に各シングルモードレーザビームＬ１、Ｌ３、Ｌ４を重ね合わせることで高解像度の記録が可能になる。レーザビームのパワーを有効利用して感熱記録媒体１に対する感熱記録時のパワー不足を解消できる。記録スピードを例えばサーマルヘッドを用いた印刷装置と同程度の印刷スピードに確保でき、記録スピードの高速化が実現できる。
【０１５６】
すなわち、横長形状ビームプロファイルＰｆ２に形成されたマルチモードレーザビームＬ２を感熱記録媒体１に照射することにより感熱記録媒体１は、消去モードに加熱される。消去モードに加熱したところに略円形の各ビームプロファイルＰｆ１、Ｐｆ３、Ｐｆ４に形成された各シングルモードレーザビームＬ１、Ｌ３、Ｌ４を重ね合わせて感熱記録媒体１に照射する。これにより、確実に感熱記録媒体１を発色モードに加熱できる。感熱記録媒体１面上に高解像度の記録を行うことができる。
【０１５７】
又、感熱記録媒体１に対して各シングルモードレーザビームＬ１、Ｌ３、Ｌ４及びマルチモードレーザビームＬ２を照射して非接触で熱を効率よく与える。これにより１個のシングルモード半導体レーザ２のパワーが小さく、単独で感熱記録媒体１に画像等の情報を記録することができない。単独である１個のマルチモード半導体レーザ３だけでは感熱記録媒体１の消色領域までしか温度を上昇することができない。このような条件であっても、例えば各シングルモード半導体レーザ４０、４１を設け、マルチモードレーザビームＬ２と各シングルモードレーザビームＬ１、Ｌ３、Ｌ４とを合成し、この合成レーザビームＬｃを感熱記録媒体１面上に主走査する。これにより、単独のシングルモード半導体レーザ２だけでは記録できなくても、例えばマルチモードレーザビームＬ２と各シングルモードレーザビームＬ１、Ｌ３、Ｌ４とを重ね合わせたレーザパワーで感熱記録媒体１への記録ができる。
【０１５８】
各シングルモードレーザビームＬ１、Ｌ３、Ｌ４とマルチモードレーザビームＬ２との重ね合せは、各ダイクロイックプリズム４７、４５及び偏光ビームスプリッタ４３を用いることにより容易に実現できる。
【０１５９】
感熱記録媒体１に対して非接触により情報等の記録ができる。これにより、感熱記録媒体１の寿命が大幅に長くできる。しかるに、従来におけるサーマルヘッドを用いた場合のように記録時にサーマルヘッドが感熱記録媒体１に接触することにより記録の品質を低下させることがない。従来のレーザ書き込み型方式によるレーザビームのエネルギー不足が解消できる。さらにラインのサーマルヘッドを用いて記録を行う場合と同程度の記録スピードで感熱記録媒体１への記録ができる。
【０１６０】
偏光や波長の違いを利用して例えば各ダイクロイックプリズム４５、４７や偏光ビームスプリッタ４３を用いることによってマルチモードレーザビームＬ２と各シングルモードレーザビームＬ１、Ｌ３、Ｌ４とを重ね合わせる。単独のシングルモード半導体レーザ２だけでは記録できなくても、例えばマルチモードレーザビームＬ２と各シングルモードレーザビームＬ１、Ｌ３、Ｌ４とを重ね合わせた高いレーザパワーで感熱記録媒体１への記録ができる。単独でのレーザビームのエネルギー不足が解消できる。
【０１６１】
各シングルモード半導体レーザ２、４０、４１は、それぞれｐｎ接合面１４に平行、垂直のいずれの方向にも数μｍ程度のレーザ発光部１３を有する。これにより、各シングルモードレーザビームＬ１、Ｌ３、Ｌ４を絞るのが容易である。各シングルモード半導体レーザ２、４０、４１は、画像等の情報の記録に用いるに好適である。
【０１６２】
一方、マルチモード半導体レーザ３は、ｐｎ接合面１６に平行な方向の長さが１００μｍ程度と長く、ｐｎ接合面１６に平行な方向に走査面上でマルチモードレーザビームＬ２を絞り難い。しかしながら、マルチモード半導体レーザ３から出力されるマルチモードレーザビームＬ２は、感熱記録媒体１上において横長形状のビームプロファイルＰｆ２に形成される。これにより、マルチモードレーザビームＬ２は、消去用、予熱用として用いることができる。従って、各シングルモード半導体レーザ２、４０、４１とマルチモード半導体レーザ３との各特長を有効に利用して感熱記録媒体１に対する画像等の情報の記録ができる。
【０１６３】
各シングルモードレーザビームＬ１、Ｌ３、Ｌ４とマルチモードレーザビームＬ２とは、それぞれ副走査方向Ｓｓの各縦長ビーム径ｃ１の長さが略同一である。マルチモードレーザビームＬ２の横長形状ビームプロファイルＰｆ２内において、図２０に示すように主走査方向Ｓｍ１、Ｓｍ２の中央部の位置に各シングルモードレーザビームＬ１、Ｌ３、Ｌ４を合成する。これにより、マルチモードレーザビームＬ２のパワーが有効利用できる。
【０１６４】
感熱記録媒体１面上に走査するとき、先ず、マルチモードレーザビームＬ２が単独で感熱記録媒体１面上に照射される。次にマルチモードレーザビームＬ２と各シングルモードレーザビームＬ１、Ｌ３、Ｌ４とが重なって感熱記録媒体１面上に照射される。次に、各シングルモードレーザビームＬ１、Ｌ３、Ｌ４の照射が終わり、引き続いてマルチモードレーザビームＬ２の照射が終わる。これにより、マルチモードレーザビームＬ２と各シングルモードレーザビームＬ１、Ｌ２、Ｌ３とが重なって照射された部分に画像等の情報が記録できる。又、感熱記録媒体１面上に単独でマルチモードレーザビームＬ２を照射すれば、感熱記録媒体１面上の情報が消去できる。マルチモードレーザビームＬ２を単独で感熱記録媒体１面上に照射し、次にマルチモードレーザビームＬ２と各シングルモードレーザビームＬ１、Ｌ２、Ｌ３とを重ねて感熱記録媒体１面上に照射すれば、感熱記録媒体１面上の情報を消去し、新たな情報が記録できる。すなわち、情報の書き換えができる。
【０１６５】
又、感熱記録媒体１面上にマルチモードレーザビームＬ２のみを照射し、マルチモードレーザビームＬ２と各シングルモードレーザビームＬ１、Ｌ３、Ｌ４とを合わせた合成レーザビームＬｃを照射しなければ、感熱記録媒体１面上の情報を消去することができる。
【０１６６】
従って、マルチモードレーザビームＬ２を単独で感熱記録媒体１面上に照射すれば、感熱記録媒体１面上の情報を消去できる。マルチモードレーザビームＬ２を単独で感熱記録媒体１面上に照射し、次にマルチモードレーザビームＬ２と各シングルモードレーザビームＬ１、Ｌ３、Ｌ４とを重ねて感熱記録媒体１面上に照射すれば、感熱記録媒体１面上の情報を消去し、新たな情報を記録できる。すなわち、情報の書き換えができる。
【０１６７】
次に、本発明の第８の実施の形態について図面を参照して説明する。なお、図１８と同一部分には同一符号を付してその詳しい説明は省略する。  
図２２は非接触光書き込み装置の構成図を示す。同図は、非接触光書き込み装置の構成を明確化するために図１における感熱記録媒体１と、走査レンズ８と、搬送機構１９と、偏向走査機構２０との図示を省略している。  
本実施の形態は、２波（λ１、λ２）を合成するもで、図１８に示す装置からシングルモード半導体レーザ４１と、第４のコリメータレンズ４６と、ダイクロイックプリズム４７とを省いた構成である。
【０１６８】
次に、上記の如く構成された装置による記録動作について説明する。  
シングルモード半導体レーザ２は、レーザ発光部１３から波長λ１（＝８０８ｎｍ）のシングルモードレーザビームＬ１を出力する。シングルモードレーザビームＬ１は、第１のコリメータレンズ４２により略平行光速に集光されて偏光ビームスプリッタ４３に入射する。
【０１６９】
一方、マルチモード半導体レーザ３は、レーザ発光部１５から波長λ１（＝８０８ｎｍ）のマルチモードレーザビームＬ２を出力する。マルチモードレーザビームＬ２は、第２のコリメータレンズ４８により略平行光速に集光されてダイクロイックプリズム４５に入射する。
【０１７０】
これと共に、シングルモード半導体レーザ４０は、レーザ発光部１３から波長λ２（＝９８０ｎｍ）のシングルモードレーザビームＬ３を出力する。シングルモードレーザビームＬ３は、第３のコリメータレンズ４４により略平行光速に集光されてダイクロイックプリズム４５に入射する。
【０１７１】
ダイクロイックプリズム４５は、マルチモード半導体レーザ３から出力されたマルチモードレーザビームＬ２を透過すると共に、シングルモード半導体レーザ４０から出力されたシングルモードレーザビームＬ３を反射し、マルチモードレーザビームＬ２とシングルモードレーザビームＬ３とを重ね合わせたレーザビームＬｄを出射する。
【０１７２】
偏光ビームスプリッタ４３は、シングルモード半導体レーザ２から出力されたシングルモードレーザビームＬ１と、ダイクロイックプリズム４５から出射されたレーザビームＬｄとを入射する。偏光ビームスプリッタ４３は、シングルモードレーザビームＬ１を反射し、これと共に、レーザビームＬｄを透過し、その合成レーザビームＬｅを出力する。
【０１７３】
偏向走査機構２０は、回転駆動部２３の駆動により回転軸２２を介してガルバノミラー２１を矢印ｆ方向に連続して往復回転させる。これにより、偏向走査機構２０は、偏光ビームスプリッタ４３から出力された合成レーザビームＬｅを感熱記録媒体１面上に主走査方向Ｓｍ１、Ｓｍ２に主走査する。
【０１７４】
走査レンズ８は、偏向走査機構２０により主走査された合成レーザビームＬｅを感熱記録媒体１面上に集光される。これにより、感熱記録媒体１面上には、マルチモードレーザビームＬ２の横長形状のビームプロファイルＰｆ２の中に各シングルモードレーザビームＬ１、Ｌ３の略円形の各ビームプロファイルＰｆ１、Ｐｆ３が重ね合わされて集光される。
【０１７５】
先ず、往路の主走査方向Ｓｍ１において、合成レーザビームＬｅに含まれるマルチモードレーザビームＬ２のビームプロファイルＰｆ２における往路先頭領域が単独で照射される。マルチモードレーザビームＬ２が単独で照射されたときの感熱記録媒体１面上の温度は、上記図２１に示すように発色温度Ｔ２以下であるが、消色温度Ｔ１まで急熱され上昇する。
【０１７６】
次に、感熱記録媒体１面上には、合成レーザビームＬｅに含まれるマルチモードレーザビームＬ２と各シングルモードレーザビームＬ１、Ｌ３とが合わさって照射される。このときの感熱記録媒体１面上の温度は、消色温度Ｔ１まで加熱された状態から更に発色温度Ｔ２以上まで急熱され上昇する。これにより、感熱記録媒体１に対する情報の記録が可能となる。  
次に、各シングルモードレーザビームＬ１、Ｌ３の照射が終わり、引き続いてマルチモードレーザビームＬ２の照射が終わると、感熱記録媒体１の印字層は急冷される。これによってシングルモードレーザビームＬ２が単独で照射された感熱記録媒体１の印字層の発色した黒色の部分が消色される。これと共に、感熱記録媒体１の印字層におけるマルチモードレーザビームＬ２と各シングルモードレーザビームＬ１、Ｌ３とが合わさって照射された部分は、黒色に発色する。
【０１７７】
従って、例えば文字や記号、絵柄等の情報に応じて各シングルモードレーザビームＬ１、Ｌ３の出力を同時にオン・オフすれば、感熱記録媒体１に例えば文字や記号、絵柄等の情報の記録が可能になる。感熱記録媒体１は、黒色に限らず、染色材料によって任意の色に発色可能である。
【０１７８】
次に、復路の主走査方向Ｓｍ２においては、感熱記録媒体１面上に最初に照射されるのが合成レーザビームＬｅに含まれるマルチモードレーザビームＬ２のビームプロファイルＰｆ２における復路先頭領域であるところが往路の主走査方向Ｓｍ１と相違するだけで、感熱記録媒体１に対する例えば文字や記号、絵柄等の情報の記録の動作は、往路の主走査方向Ｓｍ１と同様であり、その説明は省略する。
【０１７９】
このように上記第８の実施の形態によれば、同じ波長λ１のシングルモード半導体レーザ４０から出力されるシングルモードレーザビームＬ３とマルチモード半導体レーザ３から出力されるマルチモードレーザビームＬ２とをダイクロイックプリズム４５により合成し、このレーザビームＬｄとシングルモードレーザビームＬ１とを偏光ビームスプリッタ４３により合成し、この合成レーザビームＬｅを偏向走査機構２０によって感熱記録媒体１面上に主走査方向Ｓｍ１、Ｓｍ２に主走査する。
【０１８０】
これにより、上記第８の実施の形態は、上記第７の実施の形態と同様に、マルチモードレーザビームＬ２に各シングルモードレーザビームＬ１、Ｌ３を重ね合わせることで高解像度の記録が可能になる。レーザビームのパワーを有効利用して感熱記録媒体１に対する感熱記録時のパワー不足を解消できる。記録スピードを例えばサーマルヘッドを用いた印刷装置と同程度の印刷スピードに確保することができる。記録スピードの高速化が実現できる。
【０１８１】
次に、本発明の第９の実施の形態について図面を参照して説明する。なお、図１８と同一部分には同一符号を付してその詳しい説明は省略する。  
図２３は非接触光書き込み装置の構成図を示す。同図は、非接触光書き込み装置の構成を明確化するために図１８における感熱記録媒体１と、走査レンズ８と、搬送機構１９と、偏向走査機構２０との図示を省略している。  
本実施の形態は、複数の波長（λ１〜λｎ−１）を合成するもで、図１に示す装置に対して複数のシングルモード半導体レーザ５０−１〜５０−ｎを設けている。各シングルモード半導体レーザ５０−１〜５０−ｎは、それぞれ異なる波長λ２〜λｎ−１の各シングルモードレーザビームＬ３〜Ｌｎを出力する。
【０１８２】
各シングルモード半導体レーザ５０−１〜５０−ｎからそれぞれ出力される各シングルモードレーザビームＬ３〜Ｌｎの各進行光路上には、それぞれ各コリメータレンズ５１−１〜５１−ｎを介して各ダイクロイックプリズム５２−１〜５２−ｎが設けられている。  
ダイクロイックプリズム５２−１は、波長λ２（＝９８０ｎｍ）を含む領域に対してのみ高い反射率の特性を持つ。ダイクロイックプリズム５２−２は、波長λ３（＝９００ｎｍ）を含む領域に対してのみ高い反射率の特性を持つ。各ダイクロイックプリズム５２−１〜５２−ｎは、それぞれ各波長λ３〜λｎ−１を含む領域に対してのみ高い反射率の特性を持つ。
【０１８３】
次に、上記の如く構成された装置による記録動作について説明する。  
シングルモード半導体レーザ２は、シングルモードレーザビームＬ１を出力する。シングルモードレーザビームＬ１は、第１のコリメータレンズ４２により略平行光速に集光されて偏光ビームスプリッタ４３に入射する。  
一方、マルチモード半導体レーザ３は、マルチモードレーザビームＬ２を出力する。マルチモードレーザビームＬ２は、第２のコリメータレンズ４８により略平行光速に集光されてダイクロイックプリズム４５に入射する。  
これと共に、シングルモード半導体レーザ５０−１〜５０−ｎは、それぞれ異なる波長λ２〜λｎ−１の各シングルモードレーザビームＬ３〜Ｌｎを出力する。
【０１８４】
各ダイクロイックプリズム５２−３〜５２−ｎは、それぞれマルチモード半導体レーザ３から出力されたマルチモードレーザビームＬ２を透過すると共に、各シングルモード半導体レーザ５０−１〜５０−ｎから出力された各シングルモードレーザビームＬ３〜Ｌｎをそれぞれ重ね合わせ、その重ね合せレーザビームＬｇを出射する。
【０１８５】
偏光ビームスプリッタ４３は、シングルモード半導体レーザ２から出力されたシングルモードレーザビームＬ１と、ダイクロイックプリズム５２−１から出射されたレーザビームＬｇとを入射する。これと共に、偏光ビームスプリッタ４３は、シングルモードレーザビームＬ１を反射し、レーザビームＬｇのうち各シングルモードレーザビームＬ３〜Ｌｎを透過する。このとき、偏光ビームスプリッタ４３は、マルチモードレーザビームＬ２と、各シングルモードレーザビームＬ１、Ｌ３〜Ｌｎとを合成し、その合成レーザビームＬｈを出力する。
【０１８６】
偏向走査機構２０は、偏光ビームスプリッタ４３から出力された合成レーザビームＬｈを感熱記録媒体１上において主走査方向Ｓｍ１、Ｓｍ２に主走査する。これにより、上記同様に、感熱記録媒体１には、例えば文字や記号、絵柄等の情報が記録される。
【０１８７】
走査レンズ８は、偏向走査機構２０により主走査された合成レーザビームＬｈを感熱記録媒体１面上に集光される。これにより、感熱記録媒体１面上には、マルチモードレーザビームＬ２の横長形状のビームプロファイルＰｆ２の中に各シングルモードレーザビームＬ１、Ｌ３〜Ｌｎの略円形の各ビームプロファイルＰｆ１、Ｐｆ３〜Ｐｆｎが重ね合わされて集光される。
【０１８８】
先ず、往路の主走査方向Ｓｍ１において、合成レーザビームＬｈに含まれるマルチモードレーザビームＬ２のビームプロファイルＰｆ２における往路先頭領域が単独で照射される。マルチモードレーザビームＬ２が単独で照射されたときの感熱記録媒体１面上の温度は、上記図２１に示すように発色温度Ｔ２以下であるが、消色温度Ｔ１まで急熱され上昇する。
【０１８９】
次に、感熱記録媒体１面上には、合成レーザビームＬｈに含まれるマルチモードレーザビームＬ２と各シングルモードレーザビームＬ１、Ｌ３〜Ｌｎとが合わさって照射される。このときの感熱記録媒体１面上の温度は、消色温度Ｔ１まで加熱された状態から更に発色温度Ｔ２以上まで急熱され上昇する。これにより、感熱記録媒体１に対する情報の記録が可能となる。  
次に、各シングルモードレーザビームＬ１、Ｌ３〜Ｌｎの照射が終わり、引き続いてマルチモードレーザビームＬ２の照射が終わると、感熱記録媒体１の印字層は急冷される。これによって、マルチモードレーザビームＬ２が単独で照射された感熱記録媒体１の印字層の部分は、既に発色した黒色の部分があれば、消色される。更に、マルチモードレーザビームＬ２とシングルモードレーザビームＬ１とが合わさって照射された部分は、黒色に発色する。
【０１９０】
従って、例えば文字や記号、絵柄等の情報に応じて各シングルモードレーザビームＬ１、Ｌ３〜Ｌｎの出力を同時にオン・オフすれば、感熱記録媒体１に例えば文字や記号、絵柄等の情報の記録が可能になる。感熱記録媒体１は、黒色に限らず、染色材料によって任意の色に発色可能である。
【０１９１】
次に、復路の主走査方向Ｓｍ２においては、感熱記録媒体１面上に最初に照射されるのが合成レーザビームＬｈに含まれるマルチモードレーザビームＬ２のビームプロファイルＰｆ２における復路先頭領域であるところが往路の主走査方向Ｓｍ１と相違するだけで、感熱記録媒体１に対する例えば文字や記号、絵柄等の情報の記録の動作は、往路の主走査方向Ｓｍ１と同様であり、その説明は省略する。
【０１９２】
このように上記第９の実施の形態によれば、複数のシングルモード半導体レーザ５０−１〜５０−ｎを設け、複数の波長（λ１〜λｎ−１）を合成する。これにより、上記第７の実施の形態と同様に、マルチモードレーザビームＬ２に各シングルモードレーザビームＬ１、Ｌ３を重ね合わせることで高解像度の記録が可能になる。レーザビームのパワーを有効利用して感熱記録媒体１に対する感熱記録時のパワー不足が解消できる。記録スピードを例えばサーマルヘッドを用いた印刷装置と同程度の印刷スピードに確保することができる。記録スピードの高速化が実現できる。
【０１９３】
次に、本発明の第１０の実施の形態について図面を参照して説明する。なお、図１８と同一部分には同一符号を付してその詳しい説明は省略する。  
図２４は非接触光書き込み装置の構成図を示す。同図は、非接触光書き込み装置の構成を明確化するために上記図１８における感熱記録媒体１と、走査レンズ８と、搬送機構１９と、偏向走査機構２０との図示を省略している。  
本実施の形態は、２つの半導体レーザビーム出力系６０、６１を並設した構成である。一方の半導体レーザビーム出力系６０は、上記図２２に示す非接触光書き込み装置と同一構成である。すなわち、半導体レーザビーム出力系６０は、シングルモード半導体レーザ２と、マルチモード半導体レーザ３と、シングルモード半導体レーザ４０と、第１のコリメータレンズ４２と、第２のコリメータレンズ４８と、第３のコリメータレンズ４４と、ダイクロイックプリズム４５と、偏光ビームスプリッタ４３とを有する。
【０１９４】
他方の半導体レーザビーム出力系６１も上記図２２に示す非接触光書き込み装置と同一構成で、シングルモード半導体レーザ２ａと、マルチモード半導体レーザ３ａと、シングルモード半導体レーザ４０ａと、第１のコリメータレンズ４２ａと、第２のコリメータレンズ４８ａと、第３のコリメータレンズ４４ａと、ダイクロイックプリズム４５ａと、偏光ビームスプリッタ４３ａとを有する。  
各半導体レーザビーム出力系６０、６１は、互いに各光軸を平行に設けている。すなわち、２つのマルチモード半導体レーザ３、３ａは、各マルチモードレーザビームＬ２、Ｌ２’を出力する各出力端部を同一位置に並べられている。各マルチモード半導体レーザ３、３ａは、当該マルチモード半導体レーザ３、２ａから出力される波長λ１の各マルチモードレーザビームＬ２、Ｌ２’の各光軸が平行になるように並設されている。
【０１９５】
一方の半導体レーザビーム出力系６０の構成は、次の通りである。ダイクロイックプリズム４５は、マルチモード半導体レーザ３から出力されるマルチモードレーザビームＬ２の光路とシングルモード半導体レーザ４０から出力されるシングルモードレーザビームＬ３の光路との交点上に設けられている。  
偏光ビームスプリッタ４３は、マルチモード半導体レーザ３から出力されるマルチモードレーザビームＬ２の光路とシングルモード半導体レーザ２から出力されるシングルモードレーザビームＬ１の光路との交点上に設けられている。
【０１９６】
他方の半導体レーザビーム出力系６１の構成は、次の通りである。ダイクロイックプリズム４５ａは、マルチモード半導体レーザ３ａから出力されるマルチモードレーザビームＬ２’の光路とシングルモード半導体レーザ４０ａから出力されるシングルモードレーザビームＬ３’の光路との交点上に設けられている。  
偏光ビームスプリッタ４３ａは、マルチモード半導体レーザ３ａから出力されるマルチモードレーザビームＬ２’の光路とシングルモード半導体レーザ２ａから出力されるシングルモードレーザビームＬ１’の光路との交点上に設けられている。
【０１９７】
しかるに、各シングルモード半導体レーザ４０、４０ａは、各ダイクロイックプリズム４５、４５ａを介して対向配置されている。各シングルモード半導体レーザ２、２ａは、各ダイクロイックプリズム４３、４３ａを介して対向配置されている。  
次に、上記の如く構成された装置による記録動作について説明する。  
一方の半導体レーザビーム出力系６０は、上記図２２に示す非接触光書き込み装置と同様に、偏光ビームスプリッタ４３から２つの波長λ１、λ２の合成レーザビームＬｅを出射する。合成レーザビームＬｅは、マルチモードレーザビームＬ２とシングルモードレーザビームＬ３とを重ね合わせたレーザビームＬｄに対してシングルモードレーザビームＬ１を合成して成る。
【０１９８】
他方の半導体レーザビーム出力系６１は、一方の半導体レーザビーム出力系６０と同様に、偏光ビームスプリッタ４３ａから２つの波長λ１、λ２の合成レーザビームＬｅ’を出射する。合成レーザビームＬｅ’は、マルチモードレーザビームＬ２’とシングルモードレーザビームＬ３’とを重ね合わせたレーザビームＬｄ’に対してシングルモードレーザビームＬ１’を合成して成る。  
各合成レーザビームＬｅ、Ｌｅ’は、互いに平行に進行する。
【０１９９】
偏向走査機構２０は、例えば回転駆動部２３の駆動により回転軸２２を介してガルバノミラー２１を矢印ｆ方向に連続して往復回転させる。これにより、偏向走査機構２０は、各偏光ビームスプリッタ４３、４３ａからそれぞれ出力された各合成レーザビームＬｅ、Ｌｅ’を感熱記録媒体１面上に主走査方向Ｓｍ１、Ｓｍ２に主走査する。走査レンズ８は、偏向走査機構２０により主走査された各合成レーザビームＬｅ、Ｌｅ’を感熱記録媒体１面上に集光される。
【０２００】
しかるに、感熱記録媒体１面上には、マルチモードレーザビームＬ２の横長形状のビームプロファイルＰｆ２の中に各シングルモードレーザビームＬ１、Ｌ３の略円形の各ビームプロファイルＰｆ１、Ｐｆ３が重ね合わされて集光される。
【０２０１】
感熱記録媒体１面上に各合成レーザビームＬｅ、Ｌｅ’を主走査方向Ｓｍ１、Ｓｍ２に主走査したときの画像等の情報の記録の作用は、上記同様に行われる。すなわち、先ず、マルチモードレーザビームＬ２が単独で感熱記録媒体１面上に照射される。次に、マルチモードレーザビームＬ２と各シングルモードレーザビームＬ１、Ｌ３とが重なって感熱記録媒体１面上に照射される。次に、各シングルモードレーザビームＬ１、Ｌ３の照射が終わる。引き続いてマルチモードレーザビームＬ２の照射が終わる。これにより、マルチモードレーザビームＬ２と各シングルモードレーザビームＬ１、Ｌ３とが重なって照射された部分に画像等の情報が記録できる。  
このように上記第１０の実施の形態によれば、２つの半導体レーザビーム出力系６０、６１を並設し、２波合成の２つのレーザビームＬｅ、Ｌｅ’を感熱記録媒体１上においてそれぞれ主走査方向Ｓｍ１、Ｓｍ２に主走査する。これにより、上記第８の実施の形態と同様に、高解像度の記録が可能になる。レーザビームのパワーを有効利用して感熱記録媒体１に対する感熱記録時のパワー不足が解消できる。記録スピードを例えばサーマルヘッドを用いた印刷装置と同程度の印刷スピードを確保することができる。記録スピードの高速化が実現できる。
【０２０２】
次に、本発明の第１１の実施の形態について図面を参照して説明する。なお、図１８と同一部分には同一符号を付してその詳しい説明は省略する。  
図２５は非接触光書き込み装置の構成図を示す。同図は、非接触光書き込み装置の構成を明確化するために図１８における感熱記録媒体１と、走査レンズ８と、搬送機構１９と、偏向走査機構２０との図示を省略している。  
本実施の形態は、２つの半導体レーザビーム出力系７０、７１を並設した構成である。一方の半導体レーザビーム出力系７０は、図１８に示す非接触光書き込み装置と同一構成である。すなわち、半導体レーザビーム出力系７０は、シングルモード半導体レーザ２と、マルチモード半導体レーザ３と、各シングルモード半導体レーザ４０、４１と、第１のコリメータレンズ４２と、第２のコリメータレンズ４８と、第３のコリメータレンズ４４と、第４のコリメータレンズ４６と、各ダイクロイックプリズム４７、４５と、偏光ビームスプリッタ４３とを有する。
【０２０３】
他方の半導体レーザビーム出力系７１も図１８に示す非接触光書き込み装置と同一構成である。すなわち、他方の半導体レーザビーム出力系７１は、シングルモード半導体レーザ２ａと、マルチモード半導体レーザ３ａと、各シングルモード半導体レーザ４０ａ、４１ａと、第１のコリメータレンズ４２ａと、第２のコリメータレンズ４８ａと、第３のコリメータレンズ４４ａと、第４のコリメータレンズ４６ａと、各ダイクロイックプリズム４７ａ、４５ａと、偏光ビームスプリッタ４３ａとを有する。
【０２０４】
各半導体レーザビーム出力系７０、７１は、互いに各光軸を平行に設けている。すなわち、２つのマルチモード半導体レーザ３、３ａは、各マルチモードレーザビームＬ２、Ｌ２’を出力する各出力端部を同一位置に並設されている。各マルチモード半導体レーザ３、３ａは、当該各マルチモード半導体レーザ３、３ａから出力される波長λ１の各マルチモードレーザビームＬ２、Ｌ２’の各光軸が平行になるように並設されている。
【０２０５】
一方の半導体レーザビーム出力系７０の構成は、次の通りである。ダイクロイックプリズム４７は、マルチモード半導体レーザ３から出力されるマルチモードレーザビームＬ２の光路とシングルモード半導体レーザ４１から出力されるシングルモードレーザビームＬ４の光路との交点上に設けられている。  
ダイクロイックプリズム４５は、マルチモード半導体レーザ３から出力されるマルチモードレーザビームＬ２の光路とシングルモード半導体レーザ４０から出力されるシングルモードレーザビームＬ３の光路との交点上に設けられている。  
偏光ビームスプリッタ４３は、マルチモード半導体レーザ３から出力されるマルチモードレーザビームＬ２の光路とシングルモード半導体レーザ２から出力されるシングルモードレーザビームＬ１の光路との交点上に設けられている。
【０２０６】
他方の半導体レーザビーム出力系７１の構成は、次の通りである。ダイクロイックプリズム４７ａは、マルチモード半導体レーザ３ａから出力されるマルチモードレーザビームＬ２’の光路とシングルモード半導体レーザ４１ａから出力されるシングルモードレーザビームＬ４’の光路との交点上に設けられている。  
ダイクロイックプリズム４５ａは、マルチモード半導体レーザ３ａから出力されるマルチモードレーザビームＬ２’の光路とシングルモード半導体レーザ４０ａから出力されるシングルモードレーザビームＬ３’の光路との交点上に設けられている。  
偏光ビームスプリッタ４３ａは、マルチモード半導体レーザ３ａから出力されるマルチモードレーザビームＬ２’の光路とシングルモード半導体レーザ２ａから出力されるシングルモードレーザビームＬ１’の光路との交点上に設けられている。
【０２０７】
しかるに、各シングルモード半導体レーザ４１、４１ａは、各ダイクロイックプリズム４７、４７ａを介して対向配置されている。各シングルモード半導体レーザ４０、４０ａは、各ダイクロイックプリズム４５、４５ａを介して対向配置されている。各シングルモード半導体レーザ２、２ａは、各ダイクロイックプリズム４３、４３ａを介して対向配置されている。  
次に、上記の如く構成された装置による記録動作について説明する。  
一方の半導体レーザビーム出力系７０は、上記図１８に示す非接触光書き込み装置と同様に、偏光ビームスプリッタ４３から３つの波長λ３、λ２、λ１の合成レーザビームＬｃを出力する。合成レーザビームＬｃは、マルチモードレーザビームＬ２に対して各シングルモードレーザビームＬ４、Ｌ３、Ｌ１を重ね合わせて成る。
【０２０８】
他方の半導体レーザビーム出力系７１は、一方の半導体レーザビーム出力系７０と同様に、偏光ビームスプリッタ４３ａから３つの波長λ３、λ２、λ１の合成レーザビームＬｃ’を出力する。合成レーザビームＬｃ’は、マルチモードレーザビームＬ２’に対して各シングルモードレーザビームＬ４’、Ｌ３’、Ｌ１’を重ね合わせて成る。  
各合成レーザビームＬｃ、Ｌｃ’は、互いに平行に進行する。
【０２０９】
偏向走査機構２０は、例えば回転駆動部２３の駆動により回転軸２２を介してガルバノミラー２１を矢印ｆ方向に連続して往復回転させる。これにより、偏向走査機構２０は、各偏光ビームスプリッタ４３、４３ａから出力された各合成レーザビームＬｃ、Ｌｃ’を感熱記録媒体１面上に主走査方向Ｓｍ１、Ｓｍ２に主走査する。走査レンズ８は、偏向走査機構２０により主走査された各合成レーザビームＬｃ、Ｌｃ’を感熱記録媒体１面上に集光される。
【０２１０】
しかるに、感熱記録媒体１面上には、マルチモードレーザビームＬ２の横長形状のビームプロファイルＰｆ２の中に各シングルモードレーザビームＬ４、Ｌ３、Ｌ１の略円形の各ビームプロファイルＰｆ４、Ｐｆ３、Ｐｆ１が重ね合わされて集光される。
【０２１１】
感熱記録媒体１面上に各合成レーザビームＬｃ、Ｌｃ’を主走査方向Ｓｍ１、Ｓｍ２に主走査したときの画像等の情報の記録の作用は、上記同様に行われる。すなわち、先ず、マルチモードレーザビームＬ２が単独で感熱記録媒体１面上に照射される。次に、マルチモードレーザビームＬ２と各シングルモードレーザビームＬ４、Ｌ３、Ｌ１とが重なり合って感熱記録媒体１面上に照射される。次に、各シングルモードレーザビームＬ４、Ｌ３、Ｌ１の照射が終わる。引き続いてマルチモードレーザビームＬ２の照射が終わる。これにより、マルチモードレーザビームＬ２と各シングルモードレーザビームＬ４、Ｌ３、Ｌ１とが合わさって照射された部分に画像等の情報が記録できる。  
このように上記第１１の実施の形態によれば、２つの半導体レーザビーム出力系７０、７１を並設し、３波合成の２つのレーザビームＬｃ、Ｌｃ’を感熱記録媒体１上においてそれぞれ主走査方向Ｓｍ１、Ｓｍ２に主走査する。これにより、上記第１１の実施の形態は、上記第７の実施の形態と同様に、高解像度の記録が可能になる。レーザビームのパワーを有効利用して感熱記録媒体１に対する感熱記録時のパワー不足が解消できる。記録スピードを例えばサーマルヘッドを用いた印刷装置と同程度の印刷スピードを確保することができる。記録スピードの高速化が実現できる。
【０２１２】
次に、本発明の第１２の実施の形態について図面を参照して説明する。なお、図１８と同一部分には同一符号を付してその詳しい説明は省略する。  
図２６は非接触光書き込み装置の構成図を示す。同図は、非接触光書き込み装置の構成を明確化するために図１における感熱記録媒体１と、走査レンズ８と、搬送機構１９、偏向走査機構２０との図示を省略している。  
本実施の形態は、２つの半導体レーザビーム出力系８０、８１を並設した構成である。一方の半導体レーザビーム出力系８０は、シングルモード半導体レーザ２と、マルチモード半導体レーザ３と、シングルモード半導体レーザ４０と、第１のコリメータレンズ４２と、第２のコリメータレンズ４８と、第３のコリメータレンズ４４と、ダイクロイックプリズム８２と、偏光ビームスプリッタ８３とを有する。
【０２１３】
他方の半導体レーザビーム出力系８１は、シングルモード半導体レーザ２ａと、マルチモード半導体レーザ３ａと、シングルモード半導体レーザ４０ａと、第１のコリメータレンズ４２ａと、第２のコリメータレンズ４８ａと、第３のコリメータレンズ４４ａと、ダイクロイックプリズム８２と、偏光ビームスプリッタ８３とを有する。
【０２１４】
各半導体レーザビーム出力系８０、８１は、互いに各光軸を平行に設けている。すなわち、２つのシングルモード半導体レーザ２、２ａは、各シングルモードレーザビームＬ１、Ｌ１’を出力する各出力端部を同一位置に並設している。各シングルモード半導体レーザ２、２ａは、当該各シングルモード半導体レーザ２、２ａから出力する波長λ１の各シングルモードレーザビームＬ１、Ｌ１’の各光軸を平行にするように並設されている。  
各シングルモード半導体レーザ４０、４０ａは、各シングルモード半導体レーザ２、２ａと同様に、各シングルモードレーザビームＬ３、Ｌ３’を出力する各出力端部を同一位置に並設している。各シングルモード半導体レーザ４０、４０ａは、当該各から出力される波長λ２の各シングルモードレーザビームＬ３、Ｌ３’の各光軸を平行にするように並設されている。
【０２１５】
各マルチモード半導体レーザ３、３ａは、各マルチモードレーザビームＬ２、Ｌ２’を出力する各出力端部を同一位置に並設している。各マルチモード半導体レーザ３、３ａは、当該各マルチモード半導体レーザ３、３ａから出力される波長λ１の各マルチモードレーザビームＬ２、Ｌ２’の各光軸を平行にするように並設されている。
【０２１６】
ダイクロイックプリズム８２は、２つの半導体レーザビーム出力系８０、８１において兼用して用いられる。すなわち、ダイクロイックプリズム８２は、各マルチモード半導体レーザ３、３ａから出力される各マルチモードレーザビームＬ２、Ｌ２’と、各シングルモード半導体レーザ４０、４０ａから出力される各シングルモードレーザビームＬ３、Ｌ３’を入射する。ダイクロイックプリズム８２は、各マルチモードレーザビームＬ２、Ｌ２’と、各シングルモードレーザビームＬ３、Ｌ３’を入射可能な大きさに形成されている。  
ダイクロイックプリズム８２は、波長λ２（＝９８０ｎｍ）を含む領域に対してのみ高い反射率の特性１５ａを持つ。ダイクロイックプリズム８２は、各マルチモード半導体レーザ３、３ａから出力された各マルチモードレーザビームＬ２、Ｌ２’をそれぞれ透過する。ダイクロイックプリズム８２は、各シングルモード半導体レーザ４０、４０ａからそれぞれ出力された各シングルモードレーザビームＬ３、Ｌ３’を角度９０度方向を変えてそれぞれ反射する。これにより、ダイクロイックプリズム８２は、マルチモードレーザビームＬ２とシングルモードレーザビームＬ３とをそれぞれ重ね合わせたレーザビームＬｄを出射する。これと共に、ダイクロイックプリズム８２は、マルチモードレーザビームＬ２’とシングルモードレーザビームＬ３’とを重ね合わせたレーザビームＬｄ’を出射する。
【０２１７】
偏光ビームスプリッタ８３は、各半導体レーザビーム出力系８０、８１において兼用して用いられる。すなわち、偏光ビームスプリッタ８３は、各シングルモード半導体レーザ２、２ａから出力された互いに平行な各シングルモードレーザビームＬ１、Ｌ１’と、ダイクロイックプリズム８２から出射される互いに平行な各レーザビームＬｄ、Ｌｄ’とを入射する。偏光ビームスプリッタ８３は、各シングルモードレーザビームＬ１、Ｌ１’と、各レーザビームＬｄ、Ｌｄ’とを入射可能な大きさに形成されている。
【０２１８】
偏光ビームスプリッタ８３は、各シングルモード半導体レーザ２、２ａから出力された各シングルモードレーザビームＬ１、Ｌ１’を入射し、各シングルモードレーザビームＬ１、Ｌ１’をそれぞれ角度９０度変えて反射する。これと共に、偏光ビームスプリッタ８３は、ダイクロイックプリズム８２から出射された各レーザビームＬｄ、Ｌｄ’を入射し、各レーザビームＬｄ、Ｌｄ’を透過する。これにより、偏光ビームスプリッタ８３は、各シングルモードレーザビームＬ１、Ｌ１と重ね合せレーザビームＬｄ、Ｌｄ’とをそれぞれ合成し、各レーザビームＬｅ、Ｌｅ’を出力する。
【０２１９】
次に、上記の如く構成された装置による記録動作について説明する。  
各シングルモード半導体レーザ２、２ａは、それぞれ互いに平行に波長λ１の各シングルモードレーザビームＬ１、Ｌ１’を出力する。各シングルモードレーザビームＬ１、Ｌ１’は、偏光ビームスプリッタ８３に入射する。  
一方、各マルチモード半導体レーザ３、３ａは、それぞれ互いに平行に波長λ１の各シングルモードレーザビームＬ２、Ｌ２’を出力する。各マルチモードレーザビームＬ２、Ｌ２’は、ダイクロイックプリズム８２に入射する。  
これと共に、各シングルモード半導体レーザ４０、４０ａは、それぞれ互いに平行に波長λ３の各シングルモードレーザビームＬ３、Ｌ３’を出力する。各シングルモードレーザビームＬ３、Ｌ３’は、ダイクロイックプリズム８２に入射する。
【０２２０】
ダイクロイックプリズム８２は、各マルチモード半導体レーザ３、３ａから出力された各マルチモードレーザビームＬ２、Ｌ２’をそれぞれ透過すると共に、各シングルモード半導体レーザ４０、４０ａからそれぞれ出力された各シングルモードレーザビームＬ３、Ｌ３’を９０度方向を変えて反射する。このとき、ダイクロイックプリズム８２は、マルチモードレーザビームＬ２とシングルモードレーザビームＬ３とを重ね合わせてレーザビームＬｄとして出射する。これと共に、ダイクロイックプリズム８２は、マルチモードレーザビームＬ２’とシングルモードレーザビームＬ３’とを重ね合わせてレーザビームＬｄ’として出射する。
【０２２１】
偏光ビームスプリッタ８３は、各シングルモード半導体レーザ２、２ａから出力された各シングルモードレーザビームＬ１、Ｌ１’と、ダイクロイックプリズム８２から出射された各レーザビームＬｄ、Ｌｄ’とを入射する。偏光ビームスプリッタ８３は、シングルモード半導体レーザ２から出力されたシングルモードレーザビームＬ１を９０度方向を変えて反射する。これと共に、偏光ビームスプリッタ８３は、ダイクロイックプリズム８２から出射されたレーザビームＬｄを透過する。これにより、偏光ビームスプリッタ８３は、シングルモードレーザビームＬ１とレーザビームＬｄとを重ね合わせたレーザビームＬｅを出力する。
【０２２２】
これと共に偏光ビームスプリッタ８３は、シングルモード半導体レーザ２ａから出力されたシングルモードレーザビームＬ１’を９０度方向を変えて反射する。これと共に、偏光ビームスプリッタ８３は、ダイクロイックプリズム８２から出射されたレーザビームＬｄ’を透過する。これにより、偏光ビームスプリッタ８３は、シングルモードレーザビームＬ１’とレーザビームＬｄ’とを重ね合わせたレーザビームＬｅ’を出力する。
【０２２３】
偏向走査機構２０は、例えば回転駆動部２３の駆動により回転軸２２を介してガルバノミラー２１を矢印ｆ方向に連続して往復回転させる。これにより、偏向走査機構２０は、各偏光ビームスプリッタ８３から出力された各合成レーザビームＬｅ、Ｌｅ’を感熱記録媒体１面上に主走査方向Ｓｍ１、Ｓｍ２に主走査する。走査レンズ８は、偏向走査機構２０により主走査された各合成レーザビームＬｅ、Ｌｅ’を感熱記録媒体１面上に集光される。
【０２２４】
しかるに、感熱記録媒体１面上には、マルチモードレーザビームＬ２の横長形状のビームプロファイルＰｆ２の中に各シングルモードレーザビームＬ３、Ｌ１の略円形の各ビームプロファイルＰｆ３、Ｐｆ１が重ね合わされて集光される。
【０２２５】
感熱記録媒体１面上に各合成レーザビームＬｃ、Ｌｃ’を主走査方向Ｓｍ１、Ｓｍ２に主走査したときの画像等の情報の記録の作用は、上記同様に行われる。すなわち、先ず、マルチモードレーザビームＬ２が単独で感熱記録媒体１面上に照射される。次に、マルチモードレーザビームＬ２と各シングルモードレーザビームＬ３、Ｌ１とが重なり合って感熱記録媒体１面上に照射される。次に、各シングルモードレーザビームＬ３、Ｌ１の照射が終わる。引き続いてマルチモードレーザビームＬ２の照射が終わる。これにより、マルチモードレーザビームＬ２と各シングルモードレーザビームＬ３、Ｌ１とが合わさって照射された部分に画像等の情報が記録できる。  
このように上記第１２の実施の形態によれば、２つの半導体レーザビーム出力系８０、８１を並設し、２波合成の２つのレーザビームＬｅ、Ｌｅ’を感熱記録媒体１上においてそれぞれ主走査方向Ｓｍ１、Ｓｍ２に主走査する。これにより、上記第１２の実施の形態は、上記第１の実施の形態と同様に、高解像度の記録が可能になる。レーザビームのパワーを有効利用して感熱記録媒体１に対する感熱記録時のパワー不足が解消できる。記録スピードを例えばサーマルヘッドを用いた印刷装置と同程度の印刷スピードを確保することができる。記録スピードの高速化が実現できる。
【０２２６】
次に、本発明の第１３の実施の形態について図面を参照して説明する。なお、図２６と同一部分には同一符号を付してその詳しい説明は省略する。  
図２７は非接触光書き込み装置の構成図を示す。同図は、非接触光書き込み装置の構成を明確化するために図１８における感熱記録媒体１と、走査レンズ８と、搬送機構１９と、偏向走査機構２０との図示を省略している。  
本実施の形態は、図２６に示す非接触光書き込み装置に対して２つのシングルモード半導体レーザ４１、４１ａと、第４のコリメータレンズ４６、４６ａと、ダイクロイックプリズム９０とを設けている。又、本実施の形態は、２つの半導体レーザビーム出力系９１、９２を並設している。  
一方の半導体レーザビーム出力系９１は、シングルモード半導体レーザ２と、マルチモード半導体レーザ３と、２つのシングルモード半導体レーザ４０、４１と、第１のコリメータレンズ４２と、第２のコリメータレンズ４８と、第３のコリメータレンズ４４と、第４のコリメータレンズ４６と、各ダイクロイックプリズム８２、９０と、偏光ビームスプリッタ８３とを有する。  
他方の半導体レーザビーム出力系９２は、シングルモード半導体レーザ２ａと、マルチモード半導体レーザ３ａと、２つのシングルモード半導体レーザ４０ａ、４１ａと、第１のコリメータレンズ４２ａと、第２のコリメータレンズ４８ａと、第３のコリメータレンズ４４ａと、第４のコリメータレンズ４６ａと、各ダイクロイックプリズム８２、９０と、偏光ビームスプリッタ８３とを有する。  
各ダイクロイックプリズム８２、９０及び偏光ビームスプリッタ８３は、各半導体レーザビーム出力系６５、６６において兼用である。
【０２２７】
各シングルモード半導体レーザ４１、４１ａは、各シングルモードレーザビームＬ４、Ｌ４’を出力する各出力端部を同一位置に並設している。各シングルモード半導体レーザ４１、４１ａは、当該各シングルモード半導体レーザ４１、４１ａから出力される波長λ３の各シングルモードレーザビームＬ４、Ｌ４’の各光軸が平行になるように並設されている。
【０２２８】
ダイクロイックプリズム９０は、マルチモード半導体レーザ３、３ａからそれぞれ出力される各マルチモードレーザビームＬ２、Ｌ２’を透過する。これと共に、ダイクロイックプリズム９０は、２つのシングルモード半導体レーザ４１、４１ａからそれぞれ出力される各シングルモードレーザビームＬ４、Ｌ４’を９０度方向を変えて反射する。これにより、ダイクロイックプリズム９０は、各マルチモードレーザビームＬ２、Ｌ２’と各シングルモードレーザビームＬ４、Ｌ４’とをそれぞれ重ね合わせて各レーザビームＬａ、Ｌａ’を出射する。
【０２２９】
ダイクロイックプリズム８２は、ダイクロイックプリズム９０から出力された各マルチモードレーザビームＬａ、Ｌａ’をそれぞれ透過する。ダイクロイックプリズム８２は、２つのシングルモード半導体レーザ４０、４０ａからそれぞれ出力された各シングルモードレーザビームＬ３、Ｌ３’を角度９０度方向を変えてそれぞれ反射する。これにより、ダイクロイックプリズム８２は、マルチモードレーザビームＬａとシングルモードレーザビームＬ３とをそれぞれ重ね合わせたレーザビームＬｂを出射する。これと共に、ダイクロイックプリズム８２は、マルチモードレーザビームＬａ’とシングルモードレーザビームＬ３’とを重ね合わせたレーザビームＬｂ’を出射する。
【０２３０】
偏光ビームスプリッタ８３は、各シングルモード半導体レーザ２、２ａから出力された各シングルモードレーザビームＬ１、Ｌ１’を入射し、各シングルモードレーザビームＬ１、Ｌ１’をそれぞれ角度９０度変えて反射する。これと共に、偏光ビームスプリッタ８３は、ダイクロイックプリズム８２から出射された各レーザビームＬｂ、Ｌｂ’を入射し、各レーザビームＬｂ、Ｌｂ’を透過する。これにより、偏光ビームスプリッタ８３は、各シングルモードレーザビームＬ１、Ｌ１’と各レーザビームＬｂ、Ｌｂ’とをそれぞれ合成し、各レーザビームＬｃ、Ｌｃ’を出力する。
【０２３１】
次に、上記の如く構成された装置による記録動作について説明する。  
各マルチモード半導体レーザ３、３ａは、それぞれ互いに平行に波長λ１の各シングルモードレーザビームＬ２、Ｌ２’を出力する。各マルチモードレーザビームＬ２、Ｌ２’は、ダイクロイックプリズム９２に入射する。
【０２３２】
各シングルモード半導体レーザ４１、４１ａは、それぞれ互いに平行に波長λ３の各シングルモードレーザビームＬ４、Ｌ４’を出力する。各シングルモードレーザビームＬ４、Ｌ４’は、ダイクロイックプリズム９０に入射する。
【０２３３】
ダイクロイックプリズム９０は、マルチモード半導体レーザ３、３ａからそれぞれ出力される各マルチモードレーザビームＬ２、Ｌ２’を透過し、これと共に、各シングルモード半導体レーザ４１、４１ａからそれぞれ出力される各シングルモードレーザビームＬ４、Ｌ４’を９０度方向を変えて反射する。これにより、ダイクロイックプリズム９０は、各マルチモードレーザビームＬ２、Ｌ２’と各シングルモードレーザビームＬ４、Ｌ４’とをそれぞれ重ね合わせて各レーザビームＬａ、Ｌａ’を出射する。
【０２３４】
又、各シングルモード半導体レーザ４０、４０ａは、それぞれ互いに平行に波長λ２の各シングルモードレーザビームＬ３、Ｌ３’を出力する。各シングルモードレーザビームＬ３、Ｌ３’は、ダイクロイックプリズム８２に入射する。
【０２３５】
ダイクロイックプリズム８２は、ダイクロイックプリズム９０から出力された各マルチモードレーザビームＬａ、Ｌａ’をそれぞれ透過し、これと共に、各シングルモード半導体レーザ４０、４０ａからそれぞれ出力された各シングルモードレーザビームＬ３、Ｌ３’を角度９０度方向を変えてそれぞれ反射する。これにより、ダイクロイックプリズム８２は、マルチモードレーザビームＬａとシングルモードレーザビームＬ３とをそれぞれ重ね合わせたレーザビームＬｂを出射し、かつマルチモードレーザビームＬａ’とシングルモードレーザビームＬ３’とを重ね合わせたレーザビームＬｂ’を出射する。
【０２３６】
又、各シングルモード半導体レーザ２、２ａは、それぞれ互いに平行に波長λ１の各シングルモードレーザビームＬ１、Ｌ１’を出力する。各シングルモードレーザビームＬ１、Ｌ１’は、偏光ビームスプリッタ８３に入射する。
【０２３７】
偏光ビームスプリッタ８３は、各シングルモード半導体レーザ２、２ａから出力された各シングルモードレーザビームＬ１、Ｌ１’を入射し、各シングルモードレーザビームＬ１、Ｌ１’をそれぞれ角度９０度変えて反射する。これと共に、偏光ビームスプリッタ８３は、ダイクロイックプリズム８２から出射された各レーザビームＬｂ、Ｌｂ’を入射し、各レーザビームＬｂ、Ｌｂ’を透過する。これにより、偏光ビームスプリッタ８３は、各シングルモードレーザビームＬ１、Ｌ１’と各レーザビームＬｂ、Ｌｂ’とをそれぞれ合成し、各レーザビームＬｃ、Ｌｃ’を出力する。
【０２３８】
偏向走査機構２０は、例えば回転駆動部２３の駆動により回転軸２２を介してガルバノミラー２１を矢印ｆ方向に連続して往復回転させる。これにより、偏向走査機構２０は、各偏光ビームスプリッタ８３から出力された各合成レーザビームＬｃ、Ｌｃ’を感熱記録媒体１面上に主走査方向Ｓｍ１、Ｓｍ２に主走査する。走査レンズ８は、偏向走査機構２０により主走査された各合成レーザビームＬｃ、Ｌｃ’を感熱記録媒体１面上に集光される。
【０２３９】
しかるに、感熱記録媒体１面上には、マルチモードレーザビームＬ２の横長形状のビームプロファイルＰｆ２の中に各シングルモードレーザビームＬ４、Ｌ３、Ｌ１の略円形の各ビームプロファイルＰｆ４、Ｐｆ３、Ｐｆ１が重ね合わされて集光される。
【０２４０】
感熱記録媒体１面上に各合成レーザビームＬｃ、Ｌｃ’を主走査方向Ｓｍ１、Ｓｍ２に主走査したときの画像等の情報の記録の作用は、上記同様に行われる。すなわち、先ず、マルチモードレーザビームＬ２が単独で感熱記録媒体１面上に照射される。次に、マルチモードレーザビームＬ２と各シングルモードレーザビームＬ４、Ｌ３、Ｌ１とが重なり合って感熱記録媒体１面上に照射される。次に、各シングルモードレーザビームＬ４、Ｌ３、Ｌ１の照射が終わる。引き続いてマルチモードレーザビームＬ２の照射が終わる。これにより、マルチモードレーザビームＬ２と各シングルモードレーザビームＬ４、Ｌ３、Ｌ１とが合わさって照射された部分に画像等の情報が記録できる。
【０２４１】
このように上記第１３の実施の形態によれば、各半導体レーザビーム出力系９０、９１を並設し、３波合成の各レーザビームＬｃ、Ｌｃ’を感熱記録媒体１上においてそれぞれ主走査方向Ｓｍ１、Ｓｍ２に主走査する。これにより、上記第１３の実施の形態は、上記第７の実施の形態と同様に、高解像度の記録が可能になる。レーザビームのパワーを有効利用して感熱記録媒体１に対する感熱記録時のパワー不足が解消できる。記録スピードを例えばサーマルヘッドを用いた印刷装置と同程度の印刷スピードに確保することができる。記録スピードの高速化が実現できる。
【０２４２】
次に、本発明の第１４の実施の形態について図面を参照して説明する。なお、図１８と同一部分には同一符号を付してその詳しい説明は省略する。  
図２８は非接触光書き込み装置の構成図を示す。偏向走査機構９１は、ガルバノミラー２１と、回転軸２２と、回転駆動部２３とを有する。ガルバノミラー２１の回転軸２２は、上記図１８に示す第７の実施の形態における回転駆動部２３の回転軸２２を例えば角度９０°回転した位置に設けられている。回転軸２２の回転方向は、偏光ビームスプリッタ５から出力される合成レーザビームＬｃの進行方向を軸に例えば角度９０°回転している。これにより、シングルモード半導体レーザ２は、レーザ発光部１３のｐｎ接合面１４の接合面方向をガルバノミラー２１の回転軸２２に対して垂直方向に配置される。マルチモード半導体レーザ３は、発光領域のｐｎ接合面１６の接合面方向をガルバノミラー２１の回転軸２２に対して平行になるように配置される。
【０２４３】
偏向走査機構９１は、ガルバノミラー２１を矢印ｖ方向に繰り返し往復させて振ることにより、合成レーザビームＬｃを感熱記録媒体１上において往路の主走査方向Ｓｍ１と、復路の主走査方向Ｓｍ２とに往復して主走査する。マルチモード半導体レーザ３は、マルチモードレーザビームＬ２の偏光方向Ｓｄ２をガルバノミラー２１の回転軸２２の方向に対して平行方向に設定される。これにより、偏向走査機構９１は、マルチモードレーザビームＬ２の偏光方向Ｓｄ２と同一方向である主走査方向Ｓｍ１、Ｓｍ２に合成レーザビームＬｃを往復走査する。
【０２４４】
次に、上記の如く構成された装置による記録動作について上記第７の実施の形態と相違するところについて説明する。  
偏向走査機構９１は、ガルバノミラー２１を矢印ｖ方向に繰り返し往復させて振る。これにより、合成レーザビームＬｃは、感熱記録媒体１上において往路の主走査方向Ｓｍ１と、復路の主走査方向Ｓｍ２とに往復走査される。走査レンズ８は、偏向走査機構９１により主走査された合成レーザビームＬｃを感熱記録媒体１面上に集光する。これにより、合成レーザビームＬｃに含まれる各シングルモードレーザビームＬ１、Ｌ３、Ｌ４は、感熱記録媒体１上に円形の各ビームプロファイルＰｆ１、Ｐｆ３、Ｐｆ４として形成される。
【０２４５】
マルチモードレーザビームＬ２は、感熱記録媒体１上に縦長形状のビームプロファイルＰｆ２として形成される。
【０２４６】
感熱記録媒体１面上に合成レーザビームＬｃを走査するとき、上記同様に、先ず、マルチモードレーザビームＬ２が単独で感熱記録媒体１面上に照射される。次に、マルチモードレーザビームＬ２と各シングルモードレーザビームＬ１、Ｌ３、Ｌ４とが重なって感熱記録媒体１面上に照射される。次に、各シングルモードレーザビームＬ１、Ｌ３、Ｌ４の照射が終わり、引き続いてマルチモードレーザビームＬ２の照射が終わる。これにより、マルチモードレーザビームＬ２と各シングルモードレーザビームＬ１、Ｌ３、Ｌ４とが合わさって照射された部分に画像等の情報が記録できる。この結果、感熱記録媒体１には、例えば文字や記号、絵柄等の情報の記録が可能になる。
【０２４７】
このように上記第１４の実施の形態によれば、ガルバノミラー２１の回転軸２２を角度９０°回転した位置に設けた。これによっても上記第７の実施の形態と同様の効果を奏することができる。
【０２４８】
次に、本発明の第１５の実施の形態について図面を参照して説明する。なお、図１８と同一部分には同一符号を付してその詳しい説明は省略する。  
図２９は非接触光書き込み装置の構成図を示す。本実施の形態は、上記図１８に示すマルチモード半導体レーザ３と、各シングルモード半導体レーザ４０、４１と、各コリメータレンズ４４、４６と、各ダイクロイックプリズム４５、４７と、コリメータレンズ４８との全体を偏光ビームスプリッタ４３を介してシングルモード半導体レーザ２に対して対向配置する。
【０２４９】
シングルモード半導体レーザ２は、レーザ発光部１３のｐｎ接合面１４の接合面方向をガルバノミラー２１の回転軸２２に対して平行に配置している。シングルモード半導体レーザ２から出力されるシングルモードレーザビームＬ１の偏向方向Ｓｄ１は、ｐｎ接合面１４の接合面方向と同一方向である。シングルモードレーザビームＬ１の偏向方向Ｓｄ１は、偏光ビームスプリッタ５に対して垂直方向になる。これにより、シングルモードレーザビームＬ１は、偏光ビームスプリッタ４３に対してＳ偏光になる。
【０２５０】
マルチモードレーザビームＬ２の偏向方向Ｓｄ２は、ｐｎ接合面１６の接合面方向と同一方向である。マルチモードレーザビームＬ２の偏向方向Ｓｄ２は、ガルバノミラー２１の回転軸２２に対して平行方向になる。マルチモードレーザビームＬ２の偏向方向Ｓｄ２は、偏光ビームスプリッタ５に対して垂直方向になる。これにより従って、マルチモードレーザビームＬ２は、偏光ビームスプリッタ５に対してＳ偏光になる。
【０２５１】
偏光ビームスプリッタ４３には、λ／２反射板１００と、反射板１０１とが設けられている。偏光ビームスプリッタ４３は、シングルモード半導体レーザ２から出力されるＳ偏光であるシングルモードレーザビームＬ１の進行方向を９０度変えて反射する。これと共に、偏光ビームスプリッタ４３は、ダイクロイックプリズム４５から出射される重ね合せレーザビームＬｂの進行方向を９０度変えてλ／２反射板１００及び反射板１０１側に反射する。これにより、重ね合せレーザビームＬｂは、λ／２反射板１００を透過し、反射板１０１で反射し、再びλ／２反射板１００を透過する。これにより、重ね合せレーザビームＬｂは、位相が９０度回転し、水平偏光になり、偏光ビームスプリッタ５に対してＰ偏光になる。しかるに、重ね合せレーザビームＬｂは、偏光ビームスプリッタ４３を透過する。これによって、シングルモードレーザビームＬ１と重ね合せレーザビームＬｂとが重なる。偏光ビームスプリッタ４３は、シングルモードレーザビームＬ１と重ね合せレーザビームＬｂとを合成して出力する。
【０２５２】
偏向走査機構２０は、回転駆動部２３の駆動により回転軸２２を介してガルバノミラー２１を矢印ｇ方向に連続して往復回転させる。これにより、偏向走査機構２０は、偏光ビームスプリッタ４３から出力された合成レーザビームＬｃを感熱記録媒体１上において主走査方向Ｓｍ１、Ｓｍ２に主走査する。  
走査レンズ８は、偏向走査機構２０により主走査された合成レーザビームＬｃを感熱記録媒体１面上に集光される。これにより、感熱記録媒体１面上には、図２０に示すようにマルチモードレーザビームＬ２の横長形状のビームプロファイルＰｆ２の中に各シングルモードレーザビームＬ１、Ｌ３、Ｌ４の略円形の各ビームプロファイルＰｆ１、Ｐｆ３，Ｐｆ４が重ね合わされて集光される。マルチモードレーザビームＬ２の横長形状のビームプロファイルＰｆ２は、感熱記録媒体１上の主走査方向Ｓｍ１、Ｓｍ２に対して横長である。
【０２５３】
このように上記第１５の実施の形態によれば、マルチモード半導体レーザ３と、各シングルモード半導体レーザ４０、４１と、各コリメータレンズ４４、４６と、各ダイクロイックプリズム４５、４７と、コリメータレンズ４８との全体を偏光ビームスプリッタ４３を介してシングルモード半導体レーザ２に対して対向配置する。これによっても上記第７の実施の形態と同様の効果を奏することができることは言うまでもない。
【０２５４】
なお、本発明は上記実施形態そのままに限定されるものではなく、下記の通り変形してもよい。  
又、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、上記第１の実施の形態において、シングルモードレーザビームＬ１とマルチモードレーザビームＬ２とを感熱記録媒体１に照射したときの媒体温度と発色・消色との関係は、次のように設定してもよい。図３０はシングルモードレーザビームＬ１とマルチモードレーザビームＬ２とを感熱記録媒体１に照射したときの媒体温度と発色・消色との関係を示す。シングルモードレーザビームＬ１は、単独で、感熱記録媒体１に照射することにより感熱記録媒体１を消色領域の温度の加熱するパワー及びビーム径を有する。これにより、シングルモードレーザビームＬ１を単独で感熱記録媒体１に照射したときの温度上昇は、消色温度Ｔ１以上でかつ発色温度Ｔ２以下である。
【０２５５】
一方、マルチモードレーザビームＬ２は、単独で、感熱記録媒体１に照射することにより感熱記録媒体１を消色温度Ｔ１以下の温度に加熱するパワー及びビーム径を有する。これにより、マルチモードレーザビームＬ２を単独で感熱記録媒体１に照射したときの温度上昇は、消色温度Ｔ１以下である。
【０２５６】
従って、シングルモードレーザビームＬ１とマルチモードレーザビームＬ２とを合成した合成レーザビームＬ３を感熱記録媒体１に照射すると、感熱記録媒体１は、発色温度Ｔ２以上に加熱される。これにより、感熱記録媒体１に対して画像等の情報の記録が可能となる。
【０２５７】
上記第３及び第４の実施の形態は、２つのシングルモード半導体レーザ２、１を設け、２つのマルチモード半導体レーザ３、２を設けている。これに限らず、シングルモード半導体レーザ２及びマルチモード半導体レーザ３は、それぞれ２つ以上、複数設けてもよいことは言うまでもない。  
偏向走査機構７は、ポリゴンミラー１０を用いている。偏向走査機構２０は、ガルバノミラー２１を用いている。これに限らず、各偏向走査機構７、２０は、他の偏向機を用いても良い。
【０２５８】
例えば、各シングルモード半導体レーザ４０、４０ａ、４１、４１ａ、５０−１〜５０−ｎは、シングルモードとしているが、これに限らず、マルチモード半導体レーザに代えてもよい。この場合、例えば、図１８において偏光ビームスプリッタ４３は、シングルモード半導体レーザ２から出力されるシングルモードレーザビームＬ１を反射又は透過すると共に、ダイクロイックプリズム４５から出射される重ね合せレーザビームＬｂを透過又は反射することによってシングルモードレーザビームＬ１と重ね合せレーザビームＬｂとを重ねて合成する。走査レンズ８は、偏向走査機構２０からの合成レーザビームＬｃを感熱記録媒体１上に集光することにより重ね合せレーザビームＬｂの各ビームプロファイルを横長形状又は縦長形状に形成し、かつ当該ビームプロファイル内にシングルモードレーザビームＬ１のビームプロファイルを集光する。
【０２５９】
又、ダイクロイックプリズム４７、４５、４５ａ、５２−１〜５２−ｎ、８２、８４は、ダイクロイックミラーに代えてもよい。
【０２６０】
図２４乃至図２５は、２つの半導体レーザビーム出力系６０、６１と、７０、７１と、８０、８１と、９１、９２とを設けているが、２以上の半導体レーザビーム出力系を設けてもよい。  
図２６及び図２７は、それぞれ２つの各シングルモード半導体レーザ２、２ａと、４０、４０ａと、４１、４１ａと、各マルチモード半導体レーザ３、３ａをそれぞれ設けているが、２以上のシングルモード半導体レーザとマルチモード半導体レーザとを設けてもよい。
【０２６１】
上記各実施の形態において各コリメータレンズ４、９、４２、４２ａ、４４、４４ａ、４８、４８ａ、５１−１〜５１−ｎは、シングルモードレーザビームＬ１やマルチモードレーザビームＬ２等の各レーザビームを略平行状態に集光している。これに限らず、各コリメータレンズ４、９、４２、４２ａ、４４、４４ａ、４８、４８ａ、５１−１〜５１−ｎは、感熱記録紙媒体１上で結像するように集光させてもよい。この場合、走査レンズ８は、無くてもよい。
【図面の簡単な説明】
【０２６２】
【図１】本発明に係る非接触光書き込み装置の第１の実施の形態を示す構成図。
【図２】同装置におけるシングルモード半導体レーザの構成図。
【図３】同装置におけるマルチモード半導体レーザの構成図。
【図４】同装置により合成したシングルモードレーザビームとマルチモードレーザビームとの感熱記録媒体面上のビームプロファイルを示す図。
【図５】同装置により合成したシングルモードレーザビームとマルチモードレーザビームとの感熱記録媒体面上のビームプロファイルを示す図。
【図６】同装置における感熱記録媒体の記録・消去特性を示す図。
【図７】同装置におけるシングルモードレーザビーム及びマルチモードレーザビームを感熱記録媒体に照射したときの媒体温度と発色・消色等の関係を示す図。
【図８】同装置におけるビームスポット位置可変機構の作用を示す図。
【図９】本発明に係る非接触光書き込み装置の第２の実施の形態を示す構成図。
【図１０】同装置により合成したシングルモードレーザビームとマルチモードレーザビームとの感熱記録媒体面上のビームプロファイルを示す図。
【図１１】同装置により合成したシングルモードレーザビームとマルチモードレーザビームとの感熱記録媒体面上のビームプロファイルを示す図。
【図１２】本発明に係る非接触光書き込み装置の第３の実施の形態を示す構成図。
【図１３】本発明に係る非接触光書き込み装置の第４の実施の形態を示す構成図。
【図１４】本発明に係る非接触光書き込み装置の第５の実施の形態を示す構成図。
【図１５】同装置により合成したシングルモードレーザビームとマルチモードレーザビームとの感熱記録媒体面上のビームプロファイルを示す図。
【図１６】同装置により合成したシングルモードレーザビームとマルチモードレーザビームとの感熱記録媒体面上のビームプロファイルを示す図。
【図１７】本発明に係る非接触光書き込み装置の第６の実施の形態を示す構成図。
【図１８】本発明に係る非接触光書き込み装置の第７の実施の形態を示す構成図。
【図１９】同装置における各ダイクロイックプリズムの波長に対する反射率の特性を示す図。
【図２０】同装置により感熱記録媒体上に集光された合成レーザビームのビームプロファイルを示す図。
【図２１】同装置における各シングルモードレーザビーム及びマルチモードレーザビームを感熱記録媒体に照射したときの媒体温度と発色・消色等の関係を示す図。
【図２２】本発明に係る非接触光書き込み装置の第８の実施の形態を示す構成図。
【図２３】本発明に係る非接触光書き込み装置の第９の実施の形態を示す構成図。
【図２４】本発明に係る非接触光書き込み装置の第１０の実施の形態を示す構成図。
【図２５】本発明に係る非接触光書き込み装置の第１１の実施の形態を示す構成図。
【図２６】本発明に係る非接触光書き込み装置の第１２の実施の形態を示す構成図。
【図２７】本発明に係る非接触光書き込み装置の第１３の実施の形態を示す構成図。
【図２８】本発明に係る非接触光書き込み装置の第１４の実施の形態を示す構成図。
【図２９】本発明に係る非接触光書き込み装置の第１５の実施の形態を示す構成図。
【図３０】本発明装置におけるシングルモードレーザビーム及びマルチモードレーザビームを感熱記録媒体に照射したときの媒体温度と発色・消色等の他の関係を示す図。
【符号の説明】
【０２６３】
１：感熱記録媒体、２，２ａ，４０ａ：シングルモード半導体レーザ、３，３ａ，３ｂ：マルチモード半導体レーザ、４：コリメータレンズ、５：偏光ビームスプリッタ、７：偏向走査機構、８：走査レンズ、９：コリメータレンズ、１０：ポリゴンミラー、１１：回転軸、１２：回転駆動部、１３：レーザ発光部、１４：ｐｎ接合面（活性層の接合面）、１５：レーザ発光部、１６：ｐｎ接合面（活性層の接合面）、１７，１７ａ，１７ｂ：マウント、１８：ビームスポット位置可変機構、１９：搬送機構、２０：偏向走査機構、２１：ガルバノミラー、２２：回転軸、２３：回転駆動部、３０：偏向走査機構、４０，４１：シングルモード半導体レーザ、４２：第１のコリメータレンズ、４２ａ：第１のコリメータレンズ、４３，４３ａ：偏光ビームスプリッタ、４４：第３のコリメータレンズ、４４ａ：第３のコリメータレンズ、４５，４５ａ：ダイクロイックプリズム、４６：第４のコリメータレンズ、４７：ダイクロイックプリズム、４８：第２のコリメータレンズ、４８ａ：第２のコリメータレンズ、５０−１〜５０−ｎ：シングルモード半導体レーザ、５１−１〜５１−ｎ：コリメータレンズ、５２−１〜５２−ｎ：ダイクロイックプリズム、６０，６１，７０，７１，８０，８１，９０，９１：半導体レーザビーム出力系、８２：ダイクロイックプリズム、８３：偏光ビームスプリッタ、９０：ダイクロイックプリズム、９１：偏向走査機構、１００：λ／２反射板、１０１：反射板。
【図１】
2008230221.tif 000003
【図２】
2008230221.tif 000004
【図３】
2008230221.tif 000005
【図４】
2008230221.tif 000006
【図５】
2008230221.tif 000007
【図６】
2008230221.tif 000008
【図７】
2008230221.tif 000009
【図８】
2008230221.tif 000010
【図９】
2008230221.tif 000011
【図１０】
2008230221.tif 000012
【図１１】
2008230221.tif 000013
【図１２】
2008230221.tif 000014
【図１３】
2008230221.tif 000015
【図１４】
2008230221.tif 000016
【図１５】
2008230221.tif 000017
【図１６】
2008230221.tif 000018
【図１７】
2008230221.tif 000019
【図１８】
2008230221.tif 000020
【図１９】
2008230221.tif 000021
【図２０】
2008230221.tif 000022
【図２１】
2008230221.tif 000023
【図２２】
2008230221.tif 000024
【図２３】
2008230221.tif 000025
【図２４】
2008230221.tif 000026
【図２５】
2008230221.tif 000027
【図２６】
2008230221.tif 000028
【図２７】
2008230221.tif 000029
【図２８】
2008230221.tif 000030
【図２９】
2008230221.tif 000031
【図３０】
2008230221.tif 000032